(57)【要約】【課題】ヒト凝固第VII因子ポリペプチドを提供する。【解決手段】本発明は、凝固活性を有する新規のヒト凝固第VIIａ因子ポリペプチド変異体、該変異体をコードするポリヌクレオチド構築物、該ポリヌクレオチドを具備し発現するベクターおよび宿主細胞、製薬組成物、治療のための使用と方法に関する。【特許請求の範囲】
【請求項１】
配列番号１のアミノ酸配列に関して少なくとも二つの置換を含む第VII因子ポリペプチドであって、前記置換が（ｉ）他の任意のアミノ酸によるＬ３０５の置換、および（ii）他の任意のアミノ酸による、Ｋ１５７、Ｋ３３７、Ｄ３３４、Ｓ３３６、Ｖ１５８、Ｅ２９６、およびＭ２９８からなる群から選択される一以上のアミノ酸の置換である、第VII因子ポリペプチド。
【請求項２】
Ｌ３０５が他の任意のアミノ酸で置換され、Ｋ１５７が他の任意のアミノ酸で置換された、請求項１に記載の第VII因子ポリペプチド。
【請求項３】
Ｌ３０５が他の任意のアミノ酸で置換され、Ｋ３３７が他の任意のアミノ酸で置換された、請求項１または２に記載の第VII因子ポリペプチド。
【請求項４】
Ｌ３０５が他の任意のアミノ酸で置換され、Ｄ３３４が他の任意のアミノ酸で置換された、請求項１〜３の何れか一項に記載の第VII因子ポリペプチド。
【請求項５】
Ｌ３０５が他の任意のアミノ酸で置換され、Ｓ３３６が他の任意のアミノ酸で置換された、請求項１〜４の何れか一項に記載の第VII因子ポリペプチド。
【請求項６】
Ｌ３０５が他の任意のアミノ酸で置換され、Ｖ１５８が他の任意のアミノ酸で置換された、請求項１〜５の何れか一項に記載の第VII因子ポリペプチド。
【請求項７】
Ｌ３０５が他の任意のアミノ酸で置換され、Ｅ２９６が他の任意のアミノ酸で置換された、請求項１〜６の何れか一項に記載の第VII因子ポリペプチド。
【請求項８】
Ｌ３０５が他の任意のアミノ酸で置換され、Ｍ２９８が他の任意のアミノ酸で置換された、請求項１〜７の何れか一項に記載の第VII因子ポリペプチド。
【請求項９】
請求項１〜８の何れか一項に記載の第VII因子ポリペプチドであって、プロテアーゼドメイン中の残った位置の少なくとも一つのアミノ酸が他の任意のアミノ酸で置換された第VII因子ポリペプチド。
【請求項１０】
請求項９に記載の第VII因子ポリペプチドであって、プロテアーゼドメイン中の残った位置の、最大で２０のさらなるアミノ酸が他の任意のアミノ酸で置換された、第VII因子ポリペプチド。
【請求項１１】
配列番号１の１５９−１７０から選択される位置のアミノ酸に対応する少なくとも一つのアミノ酸が、他の任意のアミノ酸で置換された、請求項９〜１０の何れか一項に記載の第VII因子ポリペプチド。
【請求項１２】
配列番号１の２９０−３０４から選択される位置のアミノ酸に対応する少なくとも一つのアミノ酸が、他の任意のアミノ酸で置換された、請求項９〜１１の何れか一項に記載の第VII因子ポリペプチド。
【請求項１３】
Ｒ３０４が、Ｔｙｒ、Ｐｈｅ、Ｌｅｕ、およびＭｅｔからなる群から選択されるアミノ酸によって置換された、請求項１２に記載の第VII因子ポリペプチド。
【請求項１４】
配列番号１の３０６−３１２から選択される位置のアミノ酸に対応する少なくとも一つのアミノ酸が、他の任意のアミノ酸で置換された、請求項９〜１３の何れか一項に記載の第VII因子ポリペプチド。
【請求項１５】
Ｍ３０６が、ＡｓｐおよびＡｓｎからなる群から選択されるアミノ酸によって置換された、請求項１４に記載の第VII因子ポリペプチド。
【請求項１６】
Ｄ３０９が、ＳｅｒおよびＴｈｒからなる群から選択されるアミノ酸によって置換された、請求項１４に記載の第VII因子ポリペプチド。
【請求項１７】
配列番号１の３３０−３３９から選択される位置のアミノ酸に対応する少なくとも一つのアミノ酸が、他の任意のアミノ酸で置換された、請求項９〜１６の何れか一項に記載の第VII因子ポリペプチド。
【請求項１８】
Ａ２７４が他の任意のアミノ酸で置換された、請求項９〜１７の何れか一項に記載の第VII因子ポリペプチド。
【請求項１９】
前記Ａ２７４が、Ｍｅｔ、Ｌｅｕ、Ｌｙｓ、およびＡｒｇからなる群から選択されるアミノ酸によって置換された、請求項１８に記載の第VII因子ポリペプチド。
【請求項２０】
配列番号１のアミノ酸配列に関して二つの置換を有する第VII因子ポリペプチドであって、前記置換が（ｉ）他の任意のアミノ酸によるＬ３０５の置換、および（ii）他の任意のアミノ酸による、Ｋ１５７、Ｋ３３７、Ｄ３３４、Ｓ３３６、Ｖ１５８、Ｅ２９６、およびＭ２９８からなる群から選択される一つのアミノ酸の置換である、第VII因子ポリペプチド。
【請求項２１】
配列番号１のアミノ酸配列に関して三つの置換を含む第VII因子ポリペプチドであって、前記置換が（ｉ）他の任意のアミノ酸によるＬ３０５の置換、および（ii）他の任意のアミノ酸による、Ｋ１５７、Ｋ３３７、Ｄ３３４、Ｓ３３６、Ｖ１５８、Ｅ２９６、およびＭ２９８からなる群から選択される二つのアミノ酸の置換である、第VII因子ポリペプチド。
【請求項２２】
配列番号１のアミノ酸配列に関して四つの置換を含む第VII因子ポリペプチドであって、前記置換が（ｉ）他の任意のアミノ酸によるＬ３０５の置換、および（ii）他の任意のアミノ酸による、Ｋ１５７、Ｋ３３７、Ｄ３３４、Ｓ３３６、Ｖ１５８、Ｅ２９６、およびＭ２９８からなる群から選択される三つのアミノ酸の置換である、第VII因子ポリペプチド。
【請求項２３】
配列番号１のアミノ酸配列に関して五つの置換を含む第VII因子ポリペプチドであって、前記置換が（ｉ）他の任意のアミノ酸によるＬ３０５の置換、および（ii）他の任意のアミノ酸による、Ｋ１５７、Ｋ３３７、Ｄ３３４、Ｓ３３６、Ｖ１５８、Ｅ２９６、およびＭ２９８からなる群から選択される四つのアミノ酸の置換である、第VII因子ポリペプチド。
【請求項２４】
配列番号１のアミノ酸配列に関して六つの置換を含む第VII因子ポリペプチドであって、前記置換が（ｉ）他の任意のアミノ酸によるＬ３０５の置換、および（ii）他の任意のアミノ酸による、Ｋ１５７、Ｋ３３７、Ｄ３３４、Ｓ３３６、Ｖ１５８、Ｅ２９６、およびＭ２９８からなる群から選択される五つのアミノ酸の置換である、第VII因子ポリペプチド。
【請求項２５】
配列番号１のアミノ酸配列に関して七つの置換を含む第VII因子ポリペプチドであって、前記置換が（ｉ）他の任意のアミノ酸によるＬ３０５の置換、および（ii）他の任意のアミノ酸による、Ｋ１５７、Ｋ３３７、Ｄ３３４、Ｓ３３６、Ｖ１５８、Ｅ２９６、およびＭ２９８からなる群から選択される六つのアミノ酸の置換である、第VII因子ポリペプチド。
【請求項２６】
配列番号１のアミノ酸配列に関して八つの置換を含む第VII因子ポリペプチドであって、前記置換が（ｉ）他の任意のアミノ酸によるＬ３０５の置換、および（ii）他の任意のアミノ酸による、Ｋ１５７、Ｋ３３７、Ｄ３３４、Ｓ３３６、Ｖ１５８、Ｅ２９６、およびＭ２９８からなる群から選択される七つのアミノ酸の置換である、第VII因子ポリペプチド。
【請求項２７】
前記Ｋ１５７がＧｌｙ、Ｖａｌ、Ｓｅｒ、Ｔｈｒ、Ａｓｎ、Ｇｌｎ、Ａｓｐ、およびＧｌｕからなる群から選択されるアミノ酸によって置換された、請求項１，２，２０〜２６の何れか一項に記載の第VII因子ポリペプチド。
【請求項２８】
前記Ｋ３３７がＡｌａ、Ｇｌｙ、Ｖａｌ、Ｓｅｒ、Ｔｈｒ、Ａｓｎ、Ｇｌｎ、Ａｓｐ、およびＧｌｕからなる群から選択されるアミノ酸によって置換された、請求項１，３，２０〜２６の何れか一項に記載の第VII因子ポリペプチド。
【請求項２９】
前記Ｄ３３４がＧｌｙおよびＧｌｕからなる群から選択されるアミノ酸によって置換された、請求項１，４，２０〜２６の何れか一項に記載の第VII因子ポリペプチド。
【請求項３０】
前記Ｓ３３６がＧｌｙおよびＧｌｕからなる群から選択されるアミノ酸によって置換された、請求項１，５，２０〜２６の何れか一項に記載の第VII因子ポリペプチド。
【請求項３１】
前記Ｖ１５８がＳｅｒ、Ｔｈｒ、Ａｓｎ、Ｇｌｎ、Ａｓｐ、およびＧｌｕからなる群から選択されるアミノ酸によって置換された、請求項１，６，２０〜２６の何れか一項に記載の第VII因子ポリペプチド。
【請求項３２】
前記Ｅ２９６がＡｒｇ、Ｌｙｓ、およびＶａｌからなる群から選択されるアミノ酸によって置換された、請求項１，７，２０〜２６の何れか一項に記載の第VII因子ポリペプチド。
【請求項３３】
前記Ｍ２９８がＬｙｓ、Ａｒｇ、Ｇｌｎ、およびＡｓｎからなる群から選択されるアミノ酸によって置換された、請求項１，８，２０〜２６の何れか一項に記載の第VII因子ポリペプチド。
【請求項３４】
前記Ｌ３０５がＶａｌ、Ｔｙｒおよびｌｌｅからなる群から選択されるアミノ酸によって置換された、請求項１〜８，２０〜２６の何れか一項に記載の第VII因子ポリペプチド。
【請求項３５】
前記Ｌ３０５がＶａｌによって置換された、請求項３４に記載の第VII因子ポリペプチド。
【請求項３６】
アミノ酸が、ポリヌクレオチド構築物によってコードされ得る他の任意のアミノ酸によって置換された、請求項１〜１２，１４，１７〜１８，２０〜２６の何れか一項に記載の第VII因子ポリペプチド。
【請求項３７】
前記第VII因子ポリペプチドはヒト第VII因子である、請求項１〜３６の何れか一項に記載の第VII因子ポリペプチド。
【請求項３８】
前記第VII因子ポリペプチドは、ヒト第VIIａ因子である、請求項１〜３６の何れか一項に記載の第VII因子ポリペプチド。
【請求項３９】
前記第VII因子ポリペプチドの活性と、配列番号１に示された前記天然の第VIIａ因子ポリペプチドの活性の比が、少なくとも約１.２５である、請求項１〜３８の何れか一項に記載の第VII因子ポリペプチド。
【請求項４０】
前記比が、少なくとも約２.０であり、好ましくは少なくとも約４.０である、請求項３９に記載の第VII因子ポリペプチド。
【請求項４１】
Ｌ３０５Ｖ／Ｋ３３７Ａ−ＦVIIである、請求項２０に記載の第VII因子ポリペプチド。
【請求項４２】
Ｌ３０５Ｖ／Ｖ１５８Ｄ／Ｅ２９６Ｖ／Ｍ２９８Ｑ−ＦVIIである、請求項２２に記載の第VII因子ポリペプチド。
【請求項４３】
Ｌ３０５／Ｖ１５８Ｄ／Ｅ２９６Ｖ／Ｍ２９８Ｑ／Ｋ３３７Ａ−ＦVIIである、請求項２３に記載の第VII因子ポリペプチド。
【請求項４４】
請求項１〜４３の何れかに記載の第VII因子ポリペプチドをコードする、ポリヌクレオチド構築物。
【請求項４５】
ベクターである、請求項４４に記載のポリヌクレオチド構築物。
【請求項４６】
請求項４４〜４５の何れか一項に記載のポリヌクレオチド構築物を含む宿主細胞。
【請求項４７】
真核細胞である、請求項４６に記載の宿主細胞。
【請求項４８】
哺乳類由来の細胞である、請求項４７に記載の宿主細胞。
【請求項４９】
ＣＨＯ細胞、ＨＥＫ細胞、およびＢＨＫ細胞からなる群から選択される細胞である、請求項４８に記載の宿主細胞。
【請求項５０】
請求項４４で定義されたポリヌクレオチド構築物を具備し、且つこれを発現する、トランスジェニック動物。
【請求項５１】
請求項４４で定義されたポリヌクレオチド構築物を具備し、且つこれを発現する、トランスジェニック植物。
【請求項５２】
請求項１〜４３の何れかで定義された第VII因子ポリペプチドを生成する方法であって、請求項４６〜４９の何れか一項で定義された細胞を、適切な増殖培地で、前記ポリヌクレオチド構築物が発現可能な条件下で培養することと、得られたポリヌクレオチドを培養培地から回収することを含む方法。
【請求項５３】
請求項１〜４３の何れかで定義された第VII因子ポリペプチドを生成する方法であって、請求項５０で定義されたトランスジェニック動物によって生成された乳から前記第VII因子ポリペプチドを回収することを含む方法。
【請求項５４】
請求項１〜４３の何れかで定義された第VII因子ポリペプチドを生成する方法であって、請求項５１で定義されたトランスジェニック植物の細胞を培養することと、該植物から前記第VII因子ポリペプチドを回収することを含む方法。
【請求項５５】
配列番号１のアミノ酸配列に関して少なくとも二つの置換を含む第VII因子ポリペプチド、および任意に、製薬的に許容される担体を含む製薬組成物であって、前記置換が（ｉ）他の任意のアミノ酸によるＬ３０５の置換、および（ii）他の任意のアミノ酸による、Ｋ１５７、Ｋ３３７、Ｄ３３４、Ｓ３３６、Ｖ１５８、Ｅ２９６、およびＭ２９８からなる群から選択される一以上のアミノ酸の置換である製薬組成物。
【請求項５６】
請求項１〜４３の何れかで定義された第VII因子ポリペプチド、および任意に、製薬的に許容される担体を含む製薬組成物。
【請求項５７】
配列番号１のアミノ酸配列に関して少なくとも二つの置換を含む第VII因子ポリペプチドの使用であって、前記置換が（ｉ）他の任意のアミノ酸によるＬ３０５の置換、および（ii）他の任意のアミノ酸による、Ｋ１５７、Ｋ３３７、Ｄ３３４、Ｓ３３６、Ｖ１５８、Ｅ２９６、およびＭ２９８からなる群から選択される一以上のアミノ酸の置換である、薬剤を調製するための第VII因子ポリペプチドの使用。
【請求項５８】
請求項５７に記載の第VII因子ポリペプチドの使用であって、前記薬剤が出血性疾患または出血発症の治療のためのもの、あるいは正常な止血系の増強のためのものである、第VII因子ポリペプチドの使用。
【請求項５９】
出血性疾患または出血発症の治療のための、あるいは正常な止血系の増強のための薬剤を調製するための、請求項１〜４３の何れかで定義された第VII因子ポリペプチドの使用。
【請求項６０】
血友病ＡまたはＢの治療のための、請求項５７〜５９の何れかに記載の使用。
【請求項６１】
対象における出血性疾患または出血発症を治療するための、あるいは正常な止血系を増強するための方法であって、配列番号１のアミノ酸配列に関して少なくとも二つの置換を含む第VII因子ポリペプチドであって、前記置換が（ｉ）他の任意のアミノ酸によるＬ３０５の置換、および（ii）他の任意のアミノ酸による、Ｋ１５７、Ｋ３３７、Ｄ３３４、Ｓ３３６、Ｖ１５８、Ｅ２９６、およびＭ２９８からなる群から選択される一以上のアミノ酸の置換である第VII因子ポリペプチドの治療的または予防的に有効な量を、それらを必要とする対象に投与することを含む方法。
【請求項６２】
対象における出血性疾患または出血発症を治療するための、あるいは正常な止血系を増強するための方法であって、請求項１〜４３の何れかで定義された第VII因子ポリペプチドの治療的または予防的に有効な量を、それらを必要とする対象に投与することを含む方法。
【請求項６３】
薬剤として使用するための、請求項１〜４３の何れかで定義された第VII因子ポリペプチド。
【発明の詳細な説明】
【技術分野】
【０００１】
本発明は、凝固活性を有する新規のヒト凝固第VIIａ因子ポリペプチド、該ポリペプチドをコードするポリヌクレオチド構築物、該ポリヌクレオチドを具備し発現するベクターおよび宿主細胞、製薬組成物、治療のための使用と方法に関する。
【背景技術】
【０００２】
血液凝固は、種々の血液成分（または因子）の複雑な相互作用からなる過程であり、最終的にフィブリンの凝固を生じる。一般に、凝固「カスケード」と呼ばれているものに関与する血液成分は、活性化因子（それ自体が活性化された凝血因子である）の作用によってタンパク質分解酵素に転化される、酵素的に不活性なタンパク質（前酵素または酵素前駆体）である。そのような転化を受けた凝固因子は、一般に、「活性因子」と呼ばれ、その凝固因子の名称に「ａ」の文字を添えることによって示される（例えば、第VIIａ因子）。
【０００３】
止血過程の開始は、外傷によって血管壁と接触した組織因子と、第VIIａ因子の間の複合体の形成によって媒介される。この複合体は、次に、第IX因子および第Ｘ因子を活性形体に転化させる。第Ｘａ因子は、組織因子を含有する細胞において、有限量のプロトロンビンをトロンビンに転化させる。トロンビンは血小板を活性化させ、第Ｖ因子および第VIII因子を第Ｖａ因子および第VIIIａ因子に活性化させる（両者は、完全なトロンビンバーストを導くさらなる過程におけるコファクターである）。この過程は、第IXａ因子（第VIIIａ因子との複合体において）による第Ｘａ因子の発生を含み、活性化された血小板の表面で生じる。トロンビンは最終的に、フィブリノゲンをフィブリンに転化させ、結果としてフィブリン凝固を形成させる。近年、第VII因子と組織因子が血液凝固の主要な開始剤であることが発見された。
【０００４】
第VII因子は、単一鎖の酵素前駆体として血中を循環している微量の血漿糖タンパクである。この酵素前駆体は触媒的に不活性である。単一鎖第VII因子は、インビトロにおいて第Ｘａ因子、第XIIａ因子、第IXａ因子、第VIIａ因子、またはトロンビンによって、二本鎖の第VIIａ因子に転化され得る。第Ｘａ因子は、第VII因子の主要な生理学的活性化因子であると考えられている。止血に関与する他の幾つかの血漿糖タンパクと同様に、第VII因子はその活性をビタミンＫに依存しており、これは、タンパク質のアミノ末端に近接して群集する複数のグルタミン酸残基のガンマ−カルボキシル化のために必要とされる。これらのガンマ−カルボキシル化されたグルタミン酸は、金属イオンが誘導する、第VII因子とリン脂質の相互作用のために必要とされる。酵素前駆体第VII因子は、Ａｒｇ152−ｌｌｅ153内ペプチド結合を切断されることによって活性化された二本鎖分子へ転化する。組織因子、リン脂質、およびカルシウムイオンの存在下において、二本鎖第VIIａ因子は、限定的なタンパク質分解によって第Ｘ因子または第IX因子を速やかに活性化する。
【０００５】
多くの場合、対象における凝固カスケードを刺激するかまたは改善することが望まれている。第VIIａ因子は、凝固因子欠乏症（例えば血友病ＡおよびＢ、または凝固第XI因子または第VII因子の欠乏症）または凝固因子阻害物質のような幾つかの原因を有する出血性疾患を制御するために使用されている。第VIIａ因子はまた、正常に機能する血液凝固カスケード（何れの凝固因子に対しても、凝固因子欠乏症または阻害物質がない）を有する対象において生じる過剰出血を制御するためにも使用されている。そのような出血は、例えば、血小板機能の欠損、血小板減少症、またはフォンウィルブランド症によって引き起こされ得る。出血は、手術および他の形の組織損傷と関わる主要な問題でもある。
【０００６】
欧州特許番号第２００,４２１（ZymoGenetics）は、ヒト第VII因子をコードする核酸配列および哺乳類細胞における第VII因子の組換え体の発現に関している。
【０００７】
Dickinson他（Proc. Natl. Acad. Sci. USA (1996) 93, 14379-14384）は、Ｌｅｕ３０５がＡｌａで置換された第VII因子の変異体（ＦVII（Ａｌａ３０５））を示している。
【０００８】
Iwanaga他は（Thromb. Haemost. (supplement August 1999), 466, abstract 1474）、残基３１６−３２０が欠失した第VIIａ因子の変異体、または残基３１１−３２２がトリプシンの対応する残基によって置換された第VIIａ因子の変異体を示している。
【０００９】
凝固活性を有する第VIIａ因子の変異体、比較的少ない投与量で投与できる高活性の変異体、および、それぞれ従来の治療に付随する、全身の凝固系の活性化や出血のような望ましくない副作用を生じさせない変異体が必要とされている。
【発明の詳細な説明】
【００１０】
アミノ酸Ｌｅｕ３０５および、配列番号１のＬｙｓ１５７、Ｌｙｓ３３７、Ａｓｐ３３４、Ｓｅｒ３３６、Ｖａｌ１５８、Ｇｌｕ２９６、およびＭｅｔ２９８から成る群から独立に選択された少なくとも一つのアミノ酸が異なるアミノ酸で置換された、ヒト凝固第VIIａ因子ポリペプチド変異体が、野生型のヒト凝固第VIIａ因子よりも高い凝固活性を有することが発見された。
【００１１】
ここで使用される「異なるアミノ酸」という用語は、その位置に本来存在するアミノ酸と異なる一つのアミノ酸を意味する。これは、ポリヌクレオチドによってコードされ得るアミノ酸を含むが、これに限定されない。この異なるアミノ酸は天然のＬ型で、ポリヌクレオチドによってコードされ得ることが好ましい。具体的な実施例ではＬ−システイン（Ｃｙｓ）である。
【００１２】
ここで使用される「活性」という用語は、第VII因子ポリペプチドがその基質である第Ｘ因子を活性第Ｘａ因子に転化させる転化能を意味する。第VII因子ポリペプチドの活性は、「インビトロにおけるタンパク質分解分析」によって測定できる（実施例６を参照）。
【００１３】
「固有活性」という用語は、組織因子の非存在下において、活性化された血小板の表面上でトロンビンを生成する能力をも含む。
【００１４】
Ｌｅｕ３０５は、組織因子と複合した形態の第VIIａ因子に見られるα−へリックスの末端に位置し、これは活性に重要であると考えられている。遊離の第VIIａ因子（組織因子と結合していない第VIIａ因子）ではヘリックスが歪み、それ故に恐らく不安定である。本発明のポリペプチド変異体は、通常は組織因子によって誘導される活性コンホメーションを達成した。野生型第VIIａ因子より増大したポリペプチド変異体の活性は、α−へリックスの安定化、へリックスの再配向、または他の幾つかのコンホメーション変化のためであり得る。Ｌｅｕ３０５の置換は、へリックスの再配向および／または安定化を誘導する。
【００１５】
Ｌｙｓ１５７、Ｌｙｓ３３７、Ａｓｐ３３４、Ｓｅｒ３３６、Ｖａｌ１５８、Ｇｌｕ２９６、およびＭｅｔ２９８を含むアミノ酸は、プロテアーゼドメインのアミノ末端の挿入に影響し、それ故、ｌｌｅ１５３の末端アミノ基とＡｓｐ３４３の側鎖との間の塩橋に依存する第VIIａ因子の触媒活性コンホメーションの形成に影響すると考えられている領域に位置する。
【００１６】
上述した第VIIａ因子ポリペプチド変異体は天然ＦVIIａよりも高い固有活性を有するため、低い投与量でも作用するサイトにおいて機能的に十分な濃度を得るのに十分であり、従って出血の発症した、または通常の止血系を増強することを必要としている対象に、低い投与量で投与することができる。
【００１７】
本発明者らは、アミノ酸Ｌｅｕ３０５を、１５７に位置するＬｙｓ、３３７に位置するＬｙｓ、１５８に位置するＶａｌ、２９６に位置するＧｌｕ、２９８に位置するＭｅｔ、３３４に位置するＡｓｐ、および３３６に位置するＳｅｒの一以上と組み合わせて置換することによって、第VIIａ因子が、通常は組織因子によって誘導されるさらに活性なコンホメーションを自発的に達成することを発見した。そのような第VIIａ因子ポリペプチド変異体は、プロコアギュラントの活性が組織因子（第Ｘａ因子は血小板の表面で発生する）とは無関係である状況、例えば高投与量のＮｏｖｏＳｅｖｅｎ（Ｒ）が投与された場合のような状況において、治療的に有用である固有活性を示す。
【００１８】
さらなる実施形態において、プロテアーゼドメインにおけるアミノ酸のさらなる置換は、分子の活性コンホメーションの形成をさらに促進する。しかしながら、最も明白な効果は、上記の変異がこれら後半の７つのアミノ酸の近く（配列的にまたは三次元的に）において起こったときに観察されるであろうと考えられる。
【００１９】
本発明はさらに、膜リン脂質、例えば組織因子含有細胞の膜リン脂質または血小板の膜リン脂質に対して実質的に高い親和性を有するタンパク質を提供できる、第VIIａ因子のＮ末端Ｇｌａドメイン（配列番号１の１−３７に対応する位置のアミノ酸）における幾つかのアミノ酸の置換を含み、それ故、改良されたプロコアギュラント効果を有する第VII因子ポリペプチド変異体を生成する。
【００２０】
このように、上述した第VIIａ因子ポリペプチド変異体は、既存のアミノ酸置換３０５と組み合わされた１５７、１５８、２９６、２９８、３３４、３３６または３３７の位置における置換およびプロテアーゼドメインの他の位置での任意のアミノ酸の置換に加えて、Ｎ末端Ｇｌａドメインにおける少なくとも一つの置換されたアミノ酸を有し、これによって、天然の第VII因子と比較して、高い活性の他に、高い膜リン脂質親和性を有するタンパク質が得られる。第VII因子の１０および３２の位置（配列番号１参照）が異なるアミノ酸で置換されることが好ましい。上述の位置に挿入される好ましいアミノ酸の例は、１０に位置するアミノ酸ＰｒｏがＧｌｎ、Ａｒｇ、Ｈｉｓ、Ｇｌｎ、Ａｓｎ、またはＬｙｓで置換され、および／または３２に位置するアミノ酸ＬｙｓがＧｌｕ、Ｇｌｎ、またはＡｓｎで置換される。
【００２１】
リン脂質親和性およびビタミンＫ依存性血漿タンパク質の配列の相違に基づいて、Ｇｌａドメインにおける他のアミノ酸も置換と見なされる。
【００２２】
「Ｎ末端ＧＬＡドメイン」という用語は、第VII因子のアミノ酸配列１−３７を示す。
【００２３】
３文字の表示「ＧＬＡ」は、４−カルボキシグルタミン酸（γ−カルボキシグルタメート）を示す。
【００２４】
「プロテアーゼドメイン」という用語は、第VII因子のアミノ酸配列１５３−４０６（第VIIａ因子の重鎖）を示す。
【００２５】
ここで使用される「第VII因子ポリペプチド」という用語は、天然の第VII因子のアミノ酸配列１−４０６（配列番号１）またはその変異体を具備する任意のタンパク質を意味する。
【００２６】
ここで用いられる「第VII因子」という用語は、活性化された二重鎖の第VII因子分子（第VIIａ因子）と同様に、不活性な単一鎖の酵素前駆体第VII因子分子を含むように意図される。これは、天然のヒト第VII因子または第VIIａ因子のアミノ酸配列１−４０６を有するタンパク質を含む。これはまた、例えばＮ末端アミノ酸の欠失または付加を含む改変されたＮ末端のように、それらのタンパク質が実質的に第VIIａ因子の活性を保持する限り、わずかに改変されたアミノ酸配列を有するタンパク質をも含む。ここで使用される「第VIIａ因子」または「ＦVIIａ」という用語は、活性化された形体（第VIIａ因子）からなる生成物を意味する。上記の定義中の、「第VII因子」または「第VIIａ因子」は、存在し得る天然の対立遺伝子変異体を含み、一方から他方へ個々に生じる。グリコシル化の程度と位置、または他の位置変換改変も、選択された宿主細胞および宿主細胞環境の性質に依存して変化し得る。
【００２７】
ここで使用される「変異体」という用語は、配列番号１の配列を有し、親タンパクの一以上のアミノ酸が他のアミノ酸によって置換されている、および／または親タンパクの一以上のアミノ酸が欠失している、および／または一以上のアミノ酸がタンパクに挿入されている、および／または一以上のアミノ酸が親タンパクに加えられている、第VII因子を示すように意図される。そのような付加は、親タンパクのＮ末端またはＣ末端のいずれか、または両方で起こり得る。この定義中の「変異体」は、その活性形体において、なおＦVII活性を有する。一実施形態において、変異体は配列番号１の配列と７０％一致する。一実施形態において、変異体は配列番号１の配列と８０％一致する。他の実施形態において、変異体は配列番号１の配列と９０％一致する。さらなる実施形態において、変異体は配列番号１の配列と９５％一致する。
【００２８】
第一の側面において、本発明は、配列番号１のアミノ酸配列に関して少なくとも二つの置換を含む第VII因子ポリペプチドであって、前記置換が（ｉ）他の任意のアミノ酸によるＬ３０５の置換、および（ii）他の任意のアミノ酸による、Ｋ１５７、Ｋ３３７、Ｄ３３４、Ｓ３３６、Ｖ１５８、Ｅ２９６、およびＭ２９８からなる群から選択される一以上のアミノ酸の置換である、第VII因子ポリペプチドに関する。
【００２９】
第二の側面において、本発明は配列番号１のアミノ酸配列に関して二つの置換を有する第VII因子ポリペプチドであって、前記置換が（ｉ）他の任意のアミノ酸によるＬ３０５の置換、および（ii）他の任意のアミノ酸による、Ｋ１５７、Ｋ３３７、Ｄ３３４、Ｓ３３６、Ｖ１５８、Ｅ２９６、およびＭ２９８からなる群から選択される一つのアミノ酸の置換である、第VII因子ポリペプチドに関する。
【００３０】
第三の側面において、本発明は配列番号１のアミノ酸配列に関して三つの置換を有する第VII因子ポリペプチドであって、前記置換が（ｉ）他の任意のアミノ酸によるＬ３０５の置換、および（ii）他の任意のアミノ酸による、Ｋ１５７、Ｋ３３７、Ｄ３３４、Ｓ３３６、Ｖ１５８、Ｅ２９６、およびＭ２９８からなる群から選択される二つのアミノ酸の置換である、第VII因子ポリペプチドに関する。
【００３１】
さらなる側面において、本発明は、配列番号１のアミノ酸配列に関して四つの置換を有する第VII因子ポリペプチドであって、前記置換が（ｉ）他の任意のアミノ酸によるＬ３０５の置換、および（ii）他の任意のアミノ酸による、Ｋ１５７、Ｋ３３７、Ｄ３３４、Ｓ３３６、Ｖ１５８、Ｅ２９６、およびＭ２９８からなる群から選択される三つのアミノ酸の置換である、第VII因子ポリペプチドに関する。
【００３２】
さらなる側面において、本発明は、配列番号１のアミノ酸配列に関して五つの置換を有する第VII因子ポリペプチドであって、前記置換が（ｉ）他の任意のアミノ酸によるＬ３０５の置換、および（ii）他の任意のアミノ酸による、Ｋ１５７、Ｋ３３７、Ｄ３３４、Ｓ３３６、Ｖ１５８、Ｅ２９６、およびＭ２９８からなる群から選択される四つのアミノ酸の置換である、第VII因子ポリペプチドに関する。
【００３３】
さらなる側面において、本発明は、配列番号１のアミノ酸配列に関して六つの置換を有する第VII因子ポリペプチドであって、前記置換が（ｉ）他の任意のアミノ酸によるＬ３０５の置換、および（ii）他の任意のアミノ酸による、Ｋ１５７、Ｋ３３７、Ｄ３３４、Ｓ３３６、Ｖ１５８、Ｅ２９６、およびＭ２９８からなる群から選択される五つのアミノ酸の置換である、第VII因子ポリペプチドに関する。
【００３４】
さらなる側面において、本発明は、配列番号１のアミノ酸配列に関して七つの置換を有する第VII因子ポリペプチドであって、前記置換が（ｉ）他の任意のアミノ酸によるＬ３０５の置換、および（ii）他の任意のアミノ酸による、Ｋ１５７、Ｋ３３７、Ｄ３３４、Ｓ３３６、Ｖ１５８、Ｅ２９６、およびＭ２９８からなる群から選択される六つのアミノ酸の置換である、第VII因子ポリペプチドに関する。
【００３５】
さらなる側面において、本発明は、配列番号１のアミノ酸配列に関して八つの置換を有する第VII因子ポリペプチドであって、前記置換が（ｉ）他の任意のアミノ酸によるＬ３０５の置換、および（ii）他の任意のアミノ酸による、Ｋ１５７、Ｋ３３７、Ｄ３３４、Ｓ３３６、Ｖ１５８、Ｅ２９６、およびＭ２９８のアミノ酸の置換である、第VII因子ポリペプチドに関する。
【００３６】
さらなる側面において、本発明は配列番号１のアミノ酸配列に関して少なくとも二つの置換を含む第VII因子ポリペプチド構築物をコードするポリヌクレオチドに関し、前記置換は、（ｉ）他の任意のアミノ酸によるＬ３０５の置換、および（ii）他の任意のアミノ酸による、Ｋ１５７、Ｋ３３７、Ｄ３３４、Ｓ３３６、Ｖ１５８、Ｅ２９６、およびＭ２９８からなる群から選択される一以上のアミノ酸の置換である。
【００３７】
「構築物」という用語は、所望のポリペプチドをコードする、完全なまたは部分的な自然発生ヌクレオチド配列に基づいたポリヌクレオチドセグメントを示すように意図される。この構築物は、任意に、他のポリヌクレオチドセグメントを含んでもよい。同様に、「ポリヌクレオチド構築物によってコードされ得るアミノ酸」という用語は、上記で定義されたポリヌクレオチド構築物によってコードされ得るアミノ酸、即ち、Ａｌａ，Ｖａｌ，Ｌｅｕ，ｌｌｅ，Ｍｅｔ，Ｐｈｅ，Ｔｒｐ，Ｐｒｏ，Ｇｌｙ，Ｓｅｒ，Ｔｈｒ，Ｃｙｓ，Ｔｙｒ，Ａｓｎ，Ｇｌｕ，Ｌｙｓ，Ａｒｇ，Ｈｉｓ，Ａｓｐ，およびＧｌｎのようなアミノ酸を包含する。
【００３８】
さらなる側面において、本発明は第VII因子ポリペプチドをコードするポリヌクレオチド構築物を含む組換えベクターを提供する。
【００３９】
ここで使用される「ベクター」という用語は、宿主細胞において増幅能力を有する何れの核酸独立体をも意味する。例えば、ベクターは、自己複製ベクター、即ち、染色体外の独立体として存在し、その複製が染色体の複製とは無関係であるベクター、例えばプラスミドであってよい。或いは、ベクターは、宿主細胞に導入されたとき、宿主細胞のゲノムに組み込まれ、それが組み込まれた染色体と共に複製されるものであってよい。ベクターの選択は、多くの場合、それが導入される宿主細胞による。ベクターは、プラスミドベクター、ファージベクター、ウイルスまたはコスミドベクターを含むが、これに限定されない。ベクターは通常、複製開始点と、少なくとも一つの、選択を可能にする遺伝子、即ち、容易に検出可能な生成物かまたは細胞増殖に必須なものをコードする遺伝子を含む。
【００４０】
さらなる側面において、本発明は、ポリヌクレオチド構築物またはベクターを具備する組換え宿主細胞を提供する。一つの実施形態において、組換え宿主細胞は真核細胞である。他の実施形態において、組換え宿主細胞は哺乳類由来の細胞である。さらなる実施形態において、組換え宿主細胞はＣＨＯ細胞、ＨＥＫ細胞、およびＢＨＫ細胞からなる群から選択される細胞である。
【００４１】
ここで使用される「宿主細胞」という用語は、異種性のＤＮＡが発現され得るハイブリッド細胞を含む何れの細胞をも意味する。典型的な宿主細胞は、昆虫細胞、酵母細胞、ヒト細胞を含む哺乳類細胞、例えばＢＨＫ、ＣＨＯ、ＨＥＫ、およびＣＯＳ細胞を含むが、これに限定されない。本発明の実行において、培養される宿主細胞は、好ましくは哺乳類細胞であり、さらに好ましくは、ＣＨＯ（例えば、ＡＴＣＣ  ＣＣＬ  ６１）、ＣＯＳ−１（例えば、ＡＴＣＣ  ＣＲＬ  １６５０）、子ハムスターの腎臓（ＢＨＫ）およびＨＥＫ２９３（例えば、ＡＴＣＣ  ＣＲＬ  １５７３；Graham et al., J.Gen. Virol. 36:59-72, 1977）細胞株を含むがこれに限定されない確立された哺乳類細胞株である。好ましいＢＨＫ細胞株は、tk-ts 13ＢＨＫ細胞株（Waechter and Baserga, Proc. Natl. Acad. Sci. USA 79:1106-1110, 1982）である（以下、ＢＨＫ  ５７０細胞と称す）。ＢＨＫ  ５７０細胞株は、アメリカン・タイプ・カルチャー・コレクションから、１２３０１  Parklawn Dr., Rockville, MD 20852、ＡＴＣＣ受付番号  ＣＲＬ  １０３１４で利用可能である。tk-ts 13ＢＨＫ細胞株も、ＡＴＣＣから、受付番号  ＣＲＬ  １６３２で利用可能である。他の適切な細胞株は、Ｒａｔ  Ｈｅｐ  I（ラット肝癌；ＡＴＣＣ  ＣＲＬ  １６００）、Ｒａｔ  Ｈｅｐ  II（ラット肝癌；ＡＴＣＣ  ＣＲＬ  １５４８）、ＴＣＭＫ（ＡＴＣＣ  ＣＣＬ  １３９）、ヒト肺（ＡＴＣＣ  ＨＢ  ８０６５）、ＮＣＴＣ  １４６９（ＡＴＣＣ  ＣＣＬ  ９.１）およびＤＵＫＸ細胞（Urlaub and Chasin, Proc. Natl. Acad. Sci. USA 77 : 4216-4220, 1980）を含むが、これに限定されない。３Ｔ３細胞、Ｎａｍａｌｗａ細胞、ミエローマおよびミエローマと他の細胞の融合も有用である。
【００４２】
さらなる側面において、本発明は、ポリヌクレオチド構築物を具備し発現するトランスジェニック動物を提供する。
【００４３】
さらなる側面において、本発明は、ポリヌクレオチド構築物を具備し発現するトランスジェニック植物を提供する。
【００４４】
さらなる側面において、本発明は、本発明の第VII因子ポリペプチドを生成する方法に関し、該方法は、該ポリヌクレオチド構築物を含む細胞を、適正な増殖培地で、該ポリヌクレオチド構築物が発現可能な条件下で培養することと、得られたポリペプチドを該培養培地から回収する事とを含む。
【００４５】
ここで使用される「適正な増殖培地」という用語は、栄養、並びに、細胞の増殖と本発明の第VII因子ポリペプチドをコードする核酸配列を発現させるために必要な他の成分を含む培地を意味する。
【００４６】
さらなる側面において、本発明は、第VII因子ポリペプチドを生成する方法に関し、該方法は、トランスジェニック動物によって生産された乳から該ポリペプチドを回収することを含む。
【００４７】
さらなる側面において、本発明は第VII因子ポリペプチドを生成する方法に関し、該方法は、ポリヌクレオチド構築物を具備するトランスジェニック植物の細胞を培養することと、得られた植物からポリペプチドを回収することを含む。
【００４８】
さらなる側面において、本発明は、配列番号１のアミノ酸配列に関して少なくとも二つの置換を含む第VII因子ポリペプチドであって、前記置換が（ｉ）他の任意のアミノ酸によるＬ３０５の置換、および（ii）他の任意のアミノ酸による、Ｋ１５７、Ｋ３３７、Ｄ３３４、Ｓ３３６、Ｖ１５８、Ｅ２９６、およびＭ２９８からなる群から選択される一以上のアミノ酸の置換である第VII因子ポリペプチドと、製薬的に許容される担体を含む医薬組成物に関する。
【００４９】
さらなる側面において、本発明は、配列番号１のアミノ酸配列に関して少なくとも二つの置換を含む第VII因子ポリペプチドであって、前記置換が（ｉ）他の任意のアミノ酸によるＬ３０５の置換、および（ii）他の任意のアミノ酸による、Ｋ１５７、Ｋ３３７、Ｄ３３４、Ｓ３３６、Ｖ１５８、Ｅ２９６、およびＭ２９８からなる群から選択される一以上のアミノ酸の置換である第VII因子ポリペプチドの、薬剤の調製のための使用に関する。一実施形態において、該薬剤は、出血性疾患または出血発症の治療のための、または正常な止血系を増強するための薬剤である。一実施形態において、該使用は、血友病ＡまたはＢの治療のための使用である。
【００５０】
本発明の状況において、「治療」という用語は、出血を抑制または最小限にすることを目的とした、例えば外科手術などでの予期される出血の予防、および例えば外傷によってすでに生じている出血の制御の両者を含む。本発明の第VIIａ因子ポリペプチドの予防的な投与は、従って「治療」という用語に含まれる。
【００５１】
「出血発症」という用語は、抑制不能な出血、および過剰な出血を含むことを意味する。出血発症は、外科手術および他の形態の組織傷害の両者に関連する主要な問題である。制御不能な出血および過剰な出血は、正常な凝固系を有する対象、および凝固障害または出血性疾患を有する対象において生じ得る。ここで使用される「出血性疾患」という用語は、出血において明らかになる、先天性、後天性の、または誘発性の細胞または分子系の何れの欠損をも示す。凝固因子欠損の例（例えば、血友病ＡおよびＢまたは凝固第XI因子または第VII因子の欠損）は、凝固因子阻害、血小板機能欠陥、血小板減少症、またはフォンウィルブランド病である。
【００５２】
過剰出血はまた、正常に機能する血液凝固カスケードを有する対象（凝固因子欠損または凝固因子の何れかに対する阻害のない）でも生じ、血小板機能欠陥、血小板減少症、またはフォンウィルブランド病によって引き起こされ得る。血友病におけるような止血系は、欠損があるか、または主要な出血を引き起こす異常な必須凝固「化合物」（例えば、血小板またはフォンウィルブランド因子タンパク質）を有しているため、そのような場合における出血は、血友病によって引き起こされる出血と類似し得る。外科手術または大きな外傷に付随する広範な組織傷害を受けた対象において、正常な止血機構は、即時の止血要求に圧倒され、止血機構が正常であるにもかかわらず出血を生じてしまう。十分な止血を達成することは、例えば脳、内耳領域、および眼のような外科手術的止血の可能性が限定される器官で出血が生じた場合にも問題である。同様の問題は、腹腔鏡手術はもちろん、様々な器官（肝臓、肺、腫瘍組織、消化管）からのバイパスを通す過程においても生じる。これら全ての状況に共通することは、外科的技術（縫合、切除、その他）によって止血を施すことの困難性であり、出血が散在性である場合（出血性胃炎およびおびただしい子宮内出血）も同様である。急性でおびただしい出血は、与えられた治療によって止血の欠陥が誘発されている抗凝固治療の対象においても発生し得る。そのような対象は、抗凝固効果が速やかに相殺されるべき場合に外科的処置を必要とすることがある。局所的な前立腺癌を有する対象に、根治的な恥骨後の前立腺切除が一般に処置されている。この手術はしばしば、著しく、また時折は大量の血液損失によって複雑になる。前立腺切除の際のかなりの血液損失は主に、複雑な解剖学的状況、外科的止血が容易に届かない種々の密集した血管新生化サイトに関連し、広い領域から散在性の出血が生じるという結果になり得る。不十分な止血の場合に問題が起こり得る他の状況は、正常な止血機構を有する対象が、血栓塞栓性疾患を防ぐための抗凝固治療を受けた場合である。そのような治療は、アスピリンおよび他の血小板凝集阻害剤の他に、ヘパリン、他の形態のプロテオグリカン、ワルファリン、または他の形態のビタミンＫアンタゴニストを含む。
【００５３】
本発明の一実施形態において、出血は血友病に付随したものである。他の実施形態において、出血は、後天性の阻害を有する血友病に付随したものである。他の実施形態において、出血は血小板減少症に付随したものである。他の実施形態において、出血はフォンウィルブランド病に付随したものである。他の実施形態において、出血は深刻な組織損傷に付随したものである。他の実施形態において、出血は深刻な外傷に付随したものである。他の実施形態において、出血は外科手術に付随するものである。他の実施形態において、出血は腹腔鏡手術に付随するものである。他の実施形態において、出血は出血性胃炎に付随するものである。他の実施形態において、出血はおびただしい子宮内出血である。他の実施形態において、出血は、機械的な止血の可能性が制限される、器官において生じるものである。他の実施形態において、出血は、脳、内耳領域、または眼において生じるものである。他の実施形態において、出血は、バイパスを通す過程に付随するものである。他の実施形態において、出血は、抗凝固治療に付随するものである。
【００５４】
ここで使用される「対象」という用語は、任意の動物、特にヒトのような哺乳類を意味するよう意図され、適切には、「患者」という用語が相互転換可能に使用される。
【００５５】
「正常な止血系の増強」という用語は、トロンビンを産生する能力の増強を意味する。
【００５６】
さらなる側面において、本発明は、対象における出血性疾患または出血発症を治療するための方法、または正常な止血系を増強するための方法に関し、該方法は、配列番号１のアミノ酸配列に関して少なくとも二つの置換を含む第VII因子ポリペプチドであって、前記置換が（ｉ）他の任意のアミノ酸によるＬ３０５の置換、および（ii）他の任意のアミノ酸による、Ｋ１５７、Ｋ３３７、Ｄ３３４、Ｓ３３６、Ｖ１５８、Ｅ２９６、およびＭ２９８からなる群から選択される一以上のアミノ酸の置換である第VII因子ポリペプチドの治療的または予防的に有効な量を、それらを必要とする対象に投与することを含む。
【００５７】
さらなる側面から、本発明は、本発明の第VII因子ポリペプチドの薬剤としての使用に関する。
【００５８】
本発明の一実施形態において、第VII因子ポリペプチドは、Ｌ３０５が他の任意のアミノ酸で置換され、Ｋ１５７が他の任意のアミノ酸で置換されたポリペプチドである。
【００５９】
本発明のさらなる実施形態において、第VII因子ポリペプチドは、Ｌ３０５が他の任意のアミノ酸で置換され、Ｋ３３７が他の任意のアミノ酸で置換されたポリペプチドである。
【００６０】
本発明のさらなる実施形態において、第VII因子ポリペプチドは、Ｌ３０５が他の任意のアミノ酸で置換され、Ｄ３３４が他の任意のアミノ酸で置換されたポリペプチドである。
【００６１】
本発明のさらなる実施形態において、第VII因子ポリペプチドは、Ｌ３０５が他の任意のアミノ酸で置換され、Ｓ３３６が他の任意のアミノ酸で置換されたポリペプチドである。
【００６２】
本発明のさらなる実施形態において、第VII因子ポリペプチドは、Ｌ３０５が他の任意のアミノ酸で置換され、Ｖ１５８が他の任意のアミノ酸で置換されたポリペプチドである。
【００６３】
本発明のさらなる実施形態において、第VII因子ポリペプチドは、Ｌ３０５が他の任意のアミノ酸で置換され、Ｅ２９６が他の任意のアミノ酸で置換されたポリペプチドである。
【００６４】
本発明のさらなる実施形態において、第VII因子ポリペプチドは、Ｌ３０５が他の任意のアミノ酸で置換され、Ｍ２９８が他の任意のアミノ酸で置換されたポリペプチドである。
【００６５】
本発明のさらなる実施形態において、第VII因子ポリペプチドは、プロテアーゼドメインの残った位置において少なくとも一つのアミノ酸が他の任意のアミノ酸で置換されたポリペプチドである。
【００６６】
本発明のさらなる実施形態において、第VII因子ポリペプチドは、プロテアーゼドメインの残った位置において少なくとも一つのアミノ酸が他の任意のアミノ酸で置換されたポリペプチドである。
【００６７】
本発明のさらなる実施形態において、第VII因子ポリペプチドは、プロテアーゼドメインの残った位置において最大で２０のさらなるアミノ酸が他の任意のアミノ酸で置換されたポリペプチドである。
【００６８】
本発明のさらなる実施形態において、第VII因子ポリペプチドは、配列番号１の１５９−１７０から選択される位置のアミノ酸に対応する少なくとも一つのアミノ酸が他の任意のアミノ酸で置換されたポリペプチドである。
【００６９】
本発明のさらなる実施形態において、第VII因子ポリペプチドは、配列番号１の２９０−３０４から選択される位置のアミノ酸に対応する少なくとも一つのアミノ酸が他の任意のアミノ酸で置換されたポリペプチドである。
【００７０】
本発明のさらなる実施形態において、第VII因子ポリペプチドは、Ｒ３０４が、Ｔｙｒ、Ｐｈｅ、Ｌｅｕ、およびＭｅｔからなる群から選択されるアミノ酸によって置換されたポリペプチドである。
【００７１】
本発明のさらなる実施形態において、第VII因子ポリペプチドは、配列番号１の３０６−３１２から選択される位置のアミノ酸に対応する少なくとも一つのアミノ酸が他の任意のアミノ酸で置換されたポリペプチドである。
【００７２】
本発明のさらなる実施形態において、第VII因子ポリペプチドは、Ｍ３０６が、ＡｓｐおよびＡｓｎからなる群から選択されるアミノ酸によって置換されたポリペプチドである。
【００７３】
本発明のさらなる実施形態において、第VII因子ポリペプチドは、Ｄ３０９が、ＳｅｒおよびＴｈｒからなる群から選択されるアミノ酸によって置換されたポリペプチドである。
【００７４】
本発明のさらなる実施形態において、第VII因子ポリペプチドは、配列番号１の３３０−３３９から選択される位置のアミノ酸に対応する少なくとも一つのアミノ酸が他の任意のアミノ酸で置換されたポリペプチドである。
【００７５】
本発明のさらなる実施形態において、第VII因子ポリペプチドは、Ａ２７４が他の任意のアミノ酸で置換されたポリペプチドである。
【００７６】
本発明のさらなる実施形態において、第VII因子ポリペプチドは、Ａ２７４がＭｅｔ、Ｌｅｕ、ＬｙｓおよびＡｒｇからなる群から選択されるアミノ酸によって置換されたポリペプチドである。
【００７７】
本発明のさらなる実施形態において、第VII因子ポリペプチドは、Ｋ１５７がＧｌｙ、Ｖａｌ、Ｓｅｒ、Ｔｈｒ、Ａｓｎ、Ｇｌｎ、Ａｓｐ、およびＧｌｕからなる群から選択されるアミノ酸によって置換されたポリペプチドである。
【００７８】
本発明のさらなる実施形態において、第VII因子ポリペプチドは、前記Ｋ３３７がＡｌａ、Ｇｌｙ、Ｖａｌ、Ｓｅｒ、Ｔｈｒ、Ａｓｎ、Ｇｌｎ、Ａｓｐ、およびＧｌｕからなる群から選択されるアミノ酸によって置換されたポリペプチドである。
【００７９】
本発明のさらなる実施形態において、第VII因子ポリペプチドは、前記Ｄ３３４がＧｌｙおよびＧｌｕからなる群から選択されるアミノ酸によって置換されたポリペプチドである。
【００８０】
本発明のさらなる実施形態において、第VII因子ポリペプチドは、前記Ｓ３３６がＧｌｙおよびＧｌｕからなる群から選択されるアミノ酸によって置換されたポリペプチドである。
【００８１】
本発明のさらなる実施形態において、第VII因子ポリペプチドは、前記Ｖ１５８がＳｅｒ、Ｔｈｒ、Ａｓｎ、Ｇｌｎ、Ａｓｐ、およびＧｌｕからなる群から選択されるアミノ酸によって置換されたポリペプチドである。
【００８２】
本発明のさらなる実施形態において、第VII因子ポリペプチドは、前記Ｅ２９６がＡｒｇ、Ｌｙｓ、およびＶａｌからなる群から選択されるアミノ酸によって置換されたポリペプチドである。
【００８３】
本発明のさらなる実施形態において、第VII因子ポリペプチドは、前記Ｍ２９８がＬｙｓ、Ａｒｇ、Ｇｌｎ、およびＡｓｎからなる群から選択されるアミノ酸によって置換されたポリペプチドである。
【００８４】
本発明のさらなる実施形態において、第VII因子ポリペプチドは、前記Ｌ３０５がＶａｌ、Ｔｙｒおよびｌｌｅからなる群から選択されるアミノ酸によって置換されたポリペプチドである。
【００８５】
本発明のさらなる実施形態において、第VII因子ポリペプチドは、前記Ｌ３０５がＶａｌによって置換されたポリペプチドである。
【００８６】
本発明のさらなる実施形態において、第VII因子ポリペプチドは、アミノ酸が、ポリヌクレオチド構築物によってコードされ得る他の任意のアミノ酸によって置換されたポリペプチドである。
【００８７】
本発明のさらなる実施形態において、第VII因子ポリペプチドは、前記第VII因子ポリペプチドがヒト第VII因子であるポリペプチドである。
【００８８】
本発明のさらなる実施形態において、第VII因子ポリペプチドは、前記第VII因子ポリペプチドがヒト第VIIａ因子であるポリペプチドである。
【００８９】
本発明のさらなる実施形態において、第VII因子ポリペプチドは、前記第VII因子ポリペプチドの活性と、配列番号１で示される天然の第VIIａ因子ポリペプチドの活性の間の比が、少なくとも約１.２５であるポリペプチドである。一実施形態において、前記第VII因子ポリペプチドの活性と、配列番号１で示される天然の第VIIａ因子ポリペプチドの活性の間の比は、少なくとも約２.０である。一実施形態において、前記第VII因子ポリペプチドの活性と、配列番号１で示される天然の第VIIａ因子ポリペプチドの活性の間の比は、少なくとも約４.０である。
【００９０】
本発明のさらなる実施形態において、第VII因子ポリペプチドは、前記第VII因子ポリペプチドの活性と、配列番号１で示される天然の第VIIａ因子ポリペプチドの活性の間の比が、第VIIａ因子活性分析において試験したときに、少なくとも約１.２５であるポリペプチドである。一実施形態において、前記第VII因子ポリペプチドの活性と、配列番号１で示される天然の第VIIａ因子ポリペプチドの活性の間の比が、第VIIａ因子活性分析において試験したときに、少なくとも約２.０である。さらなる実施形態において、前記第VII因子ポリペプチドの活性と、配列番号１で示される天然の第VIIａ因子ポリペプチドの活性の間の比が、第VIIａ因子活性分析において試験したときに、少なくとも約４.０である。第VIIａ因子は、実施例５または６に記載された分析によって測定可能である。
【００９１】
本発明のさらなる実施形態において、第VII因子ポリペプチドは、前記第VII因子ポリペプチドの活性と、配列番号１で示される天然の第VIIａ因子ポリペプチドの活性の間の比が、「インビトロでの加水分解分析」を試験したときに、少なくとも約１.２５であるポリペプチドである。一実施形態において、前記第VII因子ポリペプチドの活性と、配列番号１で示される天然の第VIIａ因子ポリペプチドの活性の間の比は、「インビトロでの加水分解分析」を試験したときに、少なくとも約２.０である。さらなる実施形態において、前記第VII因子ポリペプチドの活性と、配列番号１で示される天然の第VIIａ因子ポリペプチドの活性の間の比は、「インビトロでの加水分解分析」を試験したときに、少なくとも約４.０である。
【００９２】
本発明のさらなる実施形態において、第VII因子ポリペプチドは、前記第VII因子ポリペプチドの活性と、配列番号１で示される天然の第VIIａ因子ポリペプチドの活性の間の比が、「インビトロでのタンパク質分解分析」を試験したときに、少なくとも約１.２５であるポリペプチドである。一実施形態において、第VII因子ポリペプチドは、前記第VII因子ポリペプチドの活性と、配列番号１で示される天然の第VIIａ因子ポリペプチドの活性の間の比が、「インビトロでのタンパク質分解分析」を試験したときに、少なくとも約２.０であるポリペプチドである。さらなる実施形態において、第VII因子ポリペプチドは、前記第VII因子ポリペプチドの活性と、配列番号１で示される天然の第VIIａ因子ポリペプチドの活性の間の比が、「インビトロでのタンパク質分解分析」を試験したときに、少なくとも約４.０であるポリペプチドである。さらなる実施形態において、第VII因子ポリペプチドは、前記第VII因子ポリペプチドの活性と、配列番号１で示される天然の第VIIａ因子ポリペプチドの活性の間の比が、「インビトロでのタンパク質分解分析」を試験したときに、少なくとも約８.０であるポリペプチドである。
【００９３】
本発明のさらなる実施形態において、第VII因子ポリペプチドは、配列番号１のアミノ酸配列に関連して少なくとも二つの置換を有するヒトＦVIIであって、前記置換は（ｉ）Ｌ３０５Ｖ、および（ii）Ｋ１５７Ｘ1、Ｋ３３７Ａ、Ｄ３３４Ｘ2、Ｓ３３６Ｘ3、Ｖ１５８Ｘ4、Ｅ２９６Ｖ、およびＭ２９８Ｑからなる群から選択される一以上の任意のアミノ酸である。ここで、Ｘ1はＧｌｙ、Ｖａｌ、Ｓｅｒ、Ｔｈｒ、Ａｓｎ、Ｇｌｎ、Ａｓｐ、またはＧｌｕであり、Ｘ2はＧｌｙまたはＧｌｕであり、Ｘ3はＧｌｙまたはＧｌｕであり、Ｘ4はＴｈｒまたはＡｓｐである。
【００９４】
本発明のさらなる実施形態において、第VII因子ポリペプチドは、Ｌ３０５Ｖ／Ｋ３３７Ａ−ＦVIIである。
【００９５】
本発明のさらなる実施形態において、第VII因子ポリペプチドは、Ｌ３０５Ｖ／Ｖ１５８Ｄ−ＦVIIである。
【００９６】
本発明のさらなる実施形態において、第VII因子ポリペプチドは、Ｌ３０５Ｖ／Ｅ２９６Ｖ−ＦVIIである。
【００９７】
本発明のさらなる実施形態において、第VII因子ポリペプチドは、Ｌ３０５Ｖ／Ｍ２９８Ｑ−ＦVIIである。
【００９８】
本発明のさらなる実施形態において、第VII因子ポリペプチドは、Ｌ３０５Ｖ／Ｖ１５８Ｔ−ＦVIIである。
【００９９】
本発明のさらなる実施形態において、第VII因子ポリペプチドは、Ｌ３０５Ｖ／Ｋ３３７Ａ／Ｖ１５８Ｔ−ＦVIIである。
【０１００】
本発明のさらなる実施形態において、第VII因子ポリペプチドは、Ｌ３０５Ｖ／Ｋ３３７Ａ／Ｍ２９８Ｑ−ＦVIIである。
【０１０１】
本発明のさらなる実施形態において、第VII因子ポリペプチドは、Ｌ３０５Ｖ／Ｋ３３７Ａ／Ｅ２９６Ｖ−ＦVIIである。
【０１０２】
本発明のさらなる実施形態において、第VII因子ポリペプチドは、Ｌ３０５Ｖ／Ｋ３３７Ａ／Ｖ１５８Ｄ−ＦVIIである。
【０１０３】
本発明のさらなる実施形態において、第VII因子ポリペプチドは、Ｌ３０５Ｖ／Ｖ１５８Ｄ／Ｍ２９８Ｑ−ＦVIIである。
【０１０４】
本発明のさらなる実施形態において、第VII因子ポリペプチドは、Ｌ３０５Ｖ／Ｖ１５８Ｄ／Ｅ２９６Ｖ−ＦVIIである。
【０１０５】
本発明のさらなる実施形態において、第VII因子ポリペプチドは、Ｌ３０５Ｖ／Ｖ１５８Ｔ／Ｍ２９８Ｑ−ＦVIIである。
【０１０６】
本発明のさらなる実施形態において、第VII因子ポリペプチドは、Ｌ３０５Ｖ／Ｖ１５８Ｔ／Ｅ２９６Ｖ−ＦVIIである。
【０１０７】
本発明のさらなる実施形態において、第VII因子ポリペプチドは、Ｌ３０５Ｖ／Ｅ２９６Ｖ／Ｍ２９８Ｑ−ＦVIIである。
【０１０８】
本発明のさらなる実施形態において、第VII因子ポリペプチドは、Ｌ３０５Ｖ／Ｖ１５８Ｄ／Ｅ２９６Ｖ／Ｍ２９８Ｑ−ＦVIIである。
【０１０９】
本発明のさらなる実施形態において、第VII因子ポリペプチドは、Ｌ３０５Ｖ／Ｖ１５８Ｔ／Ｅ２９６Ｖ／Ｍ２９８Ｑ−ＦVIIである。
【０１１０】
本発明のさらなる実施形態において、第VII因子ポリペプチドは、Ｌ３０５Ｖ／Ｖ１５８Ｔ／Ｋ３３７Ａ／Ｍ２９８Ｑ−ＦVIIである。
【０１１１】
本発明のさらなる実施形態において、第VII因子ポリペプチドは、Ｌ３０５Ｖ／Ｖ１５８Ｔ／Ｅ２９６Ｖ／Ｋ３３７Ａ−ＦVIIである。
【０１１２】
本発明のさらなる実施形態において、第VII因子ポリペプチドは、Ｌ３０５Ｖ／Ｖ１５８Ｄ／Ｋ３３７Ａ／Ｍ２９８Ｑ−ＦVIIである。
【０１１３】
本発明のさらなる実施形態において、第VII因子ポリペプチドは、Ｌ３０５Ｖ／Ｅ２９６Ｖ／Ｍ２９８Ｑ／Ｋ３３７Ａ−ＦVIIである。
【０１１４】
本発明のさらなる実施形態において、第VII因子ポリペプチドは、Ｌ３０５Ｖ／Ｖ１５８Ｄ／Ｅ２９６Ｖ／Ｋ３３７Ａ−ＦVIIである。
【０１１５】
本発明のさらなる実施形態において、第VII因子ポリペプチドは、Ｌ３０５Ｖ／Ｖ１５８Ｄ／Ｅ２９６Ｖ／Ｍ２９８Ｑ／Ｋ３３７Ａ−ＦVIIである。
【０１１６】
本発明のさらなる実施形態において、第VII因子ポリペプチドは、Ｌ３０５Ｖ／Ｖ１５８Ｔ／Ｅ２９６Ｖ／Ｍ２９８Ｑ／Ｋ３３７Ａ−ＦVIIである。
【０１１７】
さらなる側面において、本発明は、天然のヒト凝固第VIIａ因子と比較して、組織因子非依存性活性が増大した、ヒト凝固第VIIａ因子ポリペプチドを提供する。他の側面において、活性の増大は、基質特異性の変化を伴わないものである。本発明の他の側面において、ポリペプチド変異体の組織因子への結合は損なわれず、また、ポリペプチド変異体は、組織因子と結合したとき、少なくとも野生型第VIIａ因子の活性を有する。
【０１１８】
この記述において使用されるアミノ酸の用語は、次の通りである。最初の文字は、配列番号１の位置に本来存在するアミノ酸を表す。次の数字は、配列番号１における位置を表す。二番目の文字は、本来のアミノ酸と置換した異なるアミノ酸を表す。例えば、Ｌ３０５Ｖ／Ｋ３３７Ａ−ＦVIIは、配列番号１の３０５に位置するロイシンがバリンによって置換され、そして配列番号１の３３７に位置するリシンがアラニンによって置換され、両方の変異が同一の第VII因子ポリペプチド変異体にある。
【０１１９】
本発明の状況において、アミノ酸の３文字表示または１文字表示は、表１に示したように、それらの通常の意味において使用される。明示しない限り、ここで言及されるアミノ酸はＬ−アミノ酸である。さらに、他に特定しない限り、ペプチドのアミノ酸配列の左端および右端は、それぞれＮ末端およびＣ末端である。
【表１】
2005509413.tif 000002
【０１２０】
＜第VII因子ポリペプチド変異体の調製＞
本発明はまた、上記のようなヒト第VII因子ポリペプチド変異体を調製する方法に関する。ここで記載される第VII因子ポリペプチド変異体は、組換え核酸技術の方法によって生成され得る。通常、野生型第VII因子核酸配列が所望のタンパク質をコードするために改変される。次いで、この改変された配列は発現ベクターに挿入され、これは宿主細胞に形質転換されるか、トランスフェクションされる。高真核細胞、特に培養哺乳類細胞が宿主細胞として好ましい。ヒト第VII因子のヌクレオチドおよびアミノ酸の完全な配列は既知である（組換えヒト第VII因子のクローニングと発現が開示されている、Ｕ．Ｓ．４,７８４,９５０を参照）。ウシの第VII因子配列は、Takeya他（J.Biol.Chem.263:14868-14872）に開示されている。
【０１２１】
アミノ酸配列の変更は、様々な技術によって行うことができる。核酸配列の改変は、サイト特異的突然変異誘発によって可能である。サイト特異的突然変異誘発の技術は、当該分野において周知であり、例えばZollerおよびSmith（ＤＮＡ 3:479-488, 1984）または「伸長重複によるスプライシング」、Horton et al., Gene 77, 1989, pp.61-68に開示されている。このように、第VII因子のヌクレオチドおよびアミノ酸配列を用いて、所望の変更を導入することができる。同様に、特異的プライマーを用いたポリメラーゼ連鎖反応法によるＤＮＡ構築物を調製する方法は、当該分野の技術者に周知である（PCR Protocols, 1990, Academic Press, San Diego, California, USAを参照）。
【０１２２】
本発明の第VII因子ポリペプチド変異体をコードする核酸構築物は、例えば、ゲノムライブラリーまたはｃＤＮＡライブラリーを調製し、標準的な技術によって合成したオリゴヌクレオチドプローブを用いたハイブリダイゼーションによって、ポリペプチドの一部または全部をコードするＤＮＡ配列をスクリーニングすることによって得られた、ゲノムまたはｃＤＮＡ由来のものが適している（Sambrook et al., Molecular Cloning:A Laboratory Manual, 2nd. Ed. Cold Spring Harbor Laboratory, Cold Spring Harbor, New York, 1989参照）。
【０１２３】
第VII因子ポリペプチド変異体をコードする核酸構築物は、確立された標準的な方法、例えば、Beaucage and Caruthers（Tetrahedron Letters 22 (1981), 1859-1869, or the method described by Matthes et al., EMBO Journal 3 (1984), 801-805.）によって開示されたホスホアミド法によって合成的に調製されることも可能である。ホスホアミド法に従って、例えば自動ＤＮＡ合成機においてオリゴヌクレオチドが合成され、精製され、アニールされ、結合され、適切なベクターでクローン化される。ヒト第VII因子ポリペプチド変異体をコードするＤＮＡ配列もまた、例えばUS 4,683, 202, Saiki et al., Science 239 (1988), 487-491,またはSambrook et al., supra.に開示されているような特異的プライマーを用いたポリメラーゼ連鎖反応法によって調製されることができる。
【０１２４】
さらにそのうえ、核酸構築物は、合成由来、ゲノム由来、またはｃＤＮＡ由来（適宜）の断片（該断片は、完全な核酸構築物の種々の部分に対応する）を、標準的な技術に従って結合することによって調製された、合成とゲノムの混合物、合成とｃＤＮＡの混合物、またはゲノムとｃＤＮＡの混合物であってよい。
【０１２５】
核酸構築物は、ＤＮＡ構築物であることが好ましい。本発明に従った第VII因子ポリペプチド変異体を調製するのに使用されるＤＮＡ配列は、典型的には、適切な翻訳後の処理を得る（例えば、グルタミン酸残基のガンマカルボキシル化）第VII因子のアミノ末端における前プロポリペプチド（pre-pro polypeptide）をコードし、宿主細胞から分泌される。前プロポリペプチドは、第VII因子、または他のビタミンＫ−依存性血漿タンパク、例えば第IX因子、第Ｘ因子、プロトロンビン、タンパク質Ｃまたはタンパク質Ｓのものであってよい。当該分野の技術者に認識されるように、第VII因子ポリペプチド変異体のアミノ酸配列中に、改変によってそのタンパクの凝固作用活性を著しく損なわないところに、追加の改変を行うことができる。例えば、第VII因子ポリペプチド変異体は、ここにおいて援用されるＵ．Ｓ．５,２８８,６２９に一般に開示されているように、酵素前駆体第VII因子がその活性化された二重鎖形態に転化するのを阻害するために、活性化切断サイトにおいて改変されることもできる。
【０１２６】
ヒト第VII因子ポリペプチド変異体をコードするＤＮＡ配列は、通常、組換えベクター（何れのベクターでも良い）に挿入され、これは便利に組換えＤＮＡ方法に供される。ベクターの選択は多くの場合、それが導入される宿主細胞に依存する。従って、ベクターは自己複製ベクター、即ち染色体外の存在として存在し、その複製が染色体の複製と無関係であるベクター、例えばプラスミドであってよい。或いは、ベクターは、宿主細胞に導入されたとき、宿主細胞のゲノムに組み込まれ、その組み込まれた染色体と共に複製されるものであってよい。
【０１２７】
ベクターは、ヒト第VII因子ポリペプチド変異体をコードするＤＮＡ配列が、ＤＮＡの転写に必要なさらなるセグメントに結合可能である発現ベクターであることが好ましい。一般に、発現ベクターは、プラスミドまたはウイルスＤＮＡに由来する。「結合可能」という用語は、セグメントが、それらに組み込まれた目的、例えばプロモーターにおける転写開始、およびポリペプチドをコードするＤＮＡ配列を通る進行などを協調して機能できるように配列されることを示す。
【０１２８】
第VIIａ因子ポリペプチド変異体の発現に使用するベクターは、クローン化された遺伝子またはｃＤＮＡを直接転写する能力があるプロモーターを含む。このプロモーターは任意のＤＮＡ配列であってよく、これは所望の宿主細胞において転写活性を示し、その宿主細胞に相同性かまたは非相同性の何れかのタンパク質をコードする遺伝子に由来することができる。
【０１２９】
哺乳類細胞において、ヒト第VII因子ポリペプチド変異体をコードするＤＮＡの直接転写に適切なプロモーターの例は、ＳＶ４０プロモーター（Subramani et al., Mol. Cell Biol. 1 (1981), 854-864）、ＭＴ−１（メタロチオネイン遺伝子）プロモーター（Palmiter et al., Science 222 (1983), 809-814）、ＣＭＶプロモーター（Boshart et al., Cell 41 : 521-530,1985）、またはアデノウイルス２メジャー・レート・プロモーター（Kaufman and Sharp, Mol. Cell. Biol, 2: 1304-1319, 1982）である。
【０１３０】
昆虫細胞において使用するのに適したプロモーターの例は、ポリヘドリンプロモーター（US 4,745, 051; Vasuvedan et al., FEBS Lett. 311, (1992) 7-11）、Ｐ１０プロモーター（J. M. Vlak et al., J. Gen. Virology 69, 1988, pp. 765-776）、オートグラフ・カリフォルニカ・ポリヘドロシス・ウイルス基本タンパクプロモーター（EP 397 485）、バキュロウイルス即時型初期遺伝子１プロモーター（US 5,155, 037; US 5,162, 222）、またはバキュロウイルス３９Ｋ遅延型初期遺伝子プロモーター（US 5,155, 037;US 5,162, 222）である。
【０１３１】
酵母宿主細胞において使用するのに適切なプロモーターの例は、酵母解糖遺伝子（Hitzeman et al., J. Biol. Chem. 255 (1980), 12073-12080; Alber and Kawasaki, J. Mol. Appl. Gen. 1 (1982), 419-434）またはアルコールデヒドロゲナーゼ遺伝子（Young et al., in Genetic Engineering of Microorganisms for Chemicals (Hollaender et al, eds. ), Plenum Press, New York, 1982）、またはＴＰｌ１（US 4, 599, 311）またはＡＤＨ２−４ｃ（Russell et al., Nature 304 (1983), 652-654）プロモーターからのプロモーターを含む。
【０１３２】
糸状菌宿主細胞において使用するのに適切なプロモーターの例は、例えば、ＡＤＨ３プロモーター（McKnight et al., The EMBO J. 4 (1985), 2093-2099）またはｔｐｉＡプロモーターである。他の有用なプロモーターの例は、A. oryzae TAKAアミラーゼ、Rhizomucor miehei asparticプロテイナーゼ、A. niger neutral ａ−アミラーゼ、A. nigeracid stable ａ−アミラーゼ、A. nigerまたはA.アワモリグルコアミラーゼ(gluA)、Rhizomucormieheiリパーゼ、A. oryzae アルカリプロテアーゼ、A. oryzae trioseリン酸イソメラーゼ、または A. nidulans アセトアミダーゼをコードする遺伝子に由来するものである。ＴＡＫＡ−アミラーゼおよびｇｌｕＡプロモーターが好ましい。適切なプロモーターは、例えば、ＥＰ  ２３８  ０２３およびＥＰ  ３８３  ７７９に言及されている。
【０１３３】
ヒト第VII因子ポリペプチド変異体をコードするＤＮＡ配列はまた、必要であれば、ヒト成長ホルモンターミネーター（Palmiter et al., Science 222,1983, pp. 809-814）またはＴＰｌ１（Alber and Kawasaki, J.Mol. Appl. Gen. 1, 1982, pp. 419-434）またはＡＤＨ３（McKnight et al., The EMBO J. 4,1985, pp. 2093-2099）ターミネーターのような、適切なターミネーターに結合可能である。発現ベクターはまた、プロモーターの下流に位置し、第VII因子配列自体を挿入するサイトの上流に位置するＲＮＡスプライスサイトのセットを含んでもよい。ＲＮＡスプライスサイトは、アデノウイルスおよび／またはイムノグロブリン遺伝子から得ることが好ましい。発現ベクターには、挿入サイトの下流に位置するポリアデニル化信号も含まれる。特に好ましくは、ポリアデニル化信号は、ＳＶ４０（Kaufman and Sharp, ibid.）からの初期または後期の信号、アデノウイルス５Ｅｌｂ領域からのポリアデニル化信号、ヒト成長ホルモン遺伝子ターミネーター（DeNoto et al. Nucl. Acids Res. 9: 3719-3730,1981）またはヒト第VII因子遺伝子またはウシ第VII因子からのポリアデニル化信号を含む。発現ベクターはまた、非翻訳のウイルスリーダー配列、例えばプロモーターとＲＮＡスプライスサイトの間に位置するアデノウイルス２トリパルタイト（tripartite）リーダー、および転写促進因子、例えばＳＶ４０転写促進因子を含んでもよい。
【０１３４】
本発明のヒト第VII因子ポリペプチド変異体を宿主細胞の分泌経路に方向付けるために、組換えベクター中に分泌信号配列（リーダー配列、前プロ配列、または前配列としても知られる）が提供され得る。分泌信号配列は、訂正リーディングフレーム中の、ヒト第VII因子ポリペプチド変異体をコードするＤＮＡ配列に連結される。分泌信号配列は、通常、ペプチドをコードするＤＮＡ配列の５´に位置する。分泌信号配列は、タンパク質に正常に付随したものであるか、または他の分泌性タンパクをコードする遺伝子からのものである。
【０１３５】
酵母細胞から分泌させるために、分泌信号配列は任意の信号ペプチドをコードしてよく、これは、発現されたヒト第VII因子ポリペプチド変異体を細胞の分泌経路へ効率的に方向付けることを保証する。この信号ペプチドは、自然発生の信号ペプチドか、またはそれらの機能的な部分であってよく、または合成ペプチドであってよい。適切な信号ペプチドは、α−因子信号ペプチド（US 4,870,008参照）、マウスの唾液のアミラーゼの信号ペプチド（Ｏ. Hagenbuchle et al., Nature 289,1981, pp. 643-646参照）、改変されたカルボキシペプチダーゼ信号ペプチド（L. A. Valls et al., Cell 48, 1987, pp. 887-897参照）、酵母ＢＡＲ１信号ペプチド（WO 87/02670参照）、または酵母アスパラギン酸プロテアーゼ３（YAP3）信号ペプチド（M. Egel-Mitani et al., Yeast 6, 1990, pp. 127-137参照）として発見されている。
【０１３６】
酵母における効率的な分泌のために、信号配列の下流、および、ヒト第VII因子ポリペプチド変異体をコードするＤＮＡ配列の上流にリーダーペプチドをコードする配列を挿入することもできる。リーダーペプチドの機能は、発現されたペプチドが小胞体からゴルジ体に、さらに培養培地へ分泌するための分泌性小胞に方向付けることを可能にする（即ち、細胞壁を超えての、または少なくとも細胞膜を酵母細胞の細胞膜周辺腔へ抜けての、ヒト第VII因子ポリペプチド変異体の輸出）。リーダーペプチドは、酵母アルファ−因子リーダー（US 4, 546, 082, US 4,870, 008, EP 16 201, EP 123 294, EP 123 544 およびEP 163 529２開示された使用）であってよい。あるいは、リーダーペプチドは、合成リーダーペプチドであってよく、つまり天然には発見されないリーダーペプチドであってよい。合成リーダーペプチドは、例えば、ＷＯ  ８９/０２４６３またはＷＯ  ９２/１１３７８に開示されている構築物であって良い。
【０１３７】
糸状菌において使用するための信号ペプチドは、アスペルギウスsp.またはグルコアミラーゼをコードする遺伝子、Rhizomucor mieheiリパーゼまたはプロテアーゼまたはHumicola lanuginosaリパーゼをコードする遺伝子に由来することが都合よい。信号ペプチドは、A. oryzae TAKAアミラーゼ、A. niger neutral a-アミラーゼ、A. niger acid-stableアミラーゼ、またはA. nigerグルコアミラーゼをコードする遺伝子に由来することが好ましい。適切な信号ペプチドは、例えば、ＥＰ  238 023およびＥＰ  215 594に開示されている。
【０１３８】
昆虫細胞において使用するための信号ペプチドは、昆虫遺伝子（ＷＯ  ９０／０５７８３参照）、例えばlepidopteran Manduca sexta asipokineticホルモン前駆体信号ペプチド（ＵＳ  ５,０２３,３２８参照）に由来することが都合よい。
【０１３９】
ヒト第VII因子ポリペプチド変異体をコードするＤＮＡ配列、プロモーターおよび任意にターミネーター、および／または分泌信号配列のそれぞれの結合に用いられる方法、および、それらの複製に必要な情報を含む適切なベクターに挿入するために用いられる方法は、当該分野の技術者には周知である（例えば、Sambrook et al., Molecular Cloning : A Laboratory Manual, Cold Spring Harbor, New York, 1989参照）。
【０１４０】
哺乳類細胞のトランスフェクション方法および細胞に導入されたＤＮＡ配列の発現方法は、例えばKaufman and Sharp, J. Mol. Biol. 159 (1982), 601-621;Southern and Berg, J. Mol. Appl. Genet. 1 (1982), 327-341; Loyter et al., Proc. Natl. Acad. Sci.USA 79 (1982), 422-426; Wigler et al., Cell 14 (1978), 725; Corsaro and Pearson, Somatic Cell Genetics 7 (1981), 603, Graham and van der Eb, Virology 52 (1973), 456; and Neumann et al., EMBO J. 1 (1982), 841-845.に開示されている。
【０１４１】
クローン化されたＤＮＡ配列は、例えば、カルシウムリン酸媒介トランスフェクション（Wigler et al., Cell 14: 725-732, 1978;Corsaro and Pearson, Somatic Cell Genetics 7: 603-616,1981 ; Graham and Van der Eb,Virology 52d: 456-467, 1973）、または電気穿孔法（Neumann et al., EMBO J. 1: 841-845,1982）によって、培養哺乳類細胞に導入される。外来性ＤＮＡを発現する細胞を同定し、選択するために、一般に、選択可能な表現型（選択可能なマーカー）を与える遺伝子が、対象の遺伝子またはｃＤＮＡと共に細胞に導入される。選択可能なマーカーは、ネオマイシン、ハイグロマイシン、およびメトトレキセートのような薬剤耐性を与える遺伝子を含むことが好ましい。選択可能なマーカーは、増幅を可能とする選択マーカーであってよい。好ましい増幅可能なマーカーは、ジヒドロ葉酸レダクターゼ（ＤＨＦＲ）配列である。選択可能なマーカーは、Thilly（Mammalian Cell Technology, Butterworth Publishers, Stoneham, MA, incorporated herein by reference）によって概説されている。当該分野の技術者は、適切な選択可能マーカーを容易に選択することができるであろう。
【０１４２】
選択可能なマーカーは、別個のプラスミドで所望の遺伝子と同時に細胞に導入してもよく、または同一のプラスミドで導入してもよい。同一のプラスミドである場合、選択可能マーカーおよび所望の遺伝子は、異なるプロモーターまたは同一のプロモーターの制御下にあり、後者の配列はジシストロンのメッセージ（dicistronic message）を生じる。このタイプの構築物は、当該分野で周知である（例えば、Levinson and Simonsen, U.S.4,713,339）。細胞に導入される混合物に「担体ＤＮＡ」として知られる追加のＤＮＡを加えることもまた、有利なことである。
【０１４３】
細胞がＤＮＡを取り込んだ後、それらは適切な増殖培地中で、典型的には１〜２日間増殖され、所望の遺伝子の発現を開始する。ここで使用される「適切な増殖培地」という用語は、栄養と、細胞の増殖および所望のヒト第VII因子ポリペプチド変異体の発現に必要な他の成分を含む培地を意味する。培地は、通常、炭素源、窒素源、必須アミノ酸、必須糖、ビタミン、塩、リン脂質、タンパク質および増殖因子を含む。ガンマカルボキシル化タンパクを生成するために、培地はビタミンＫを、好ましくは約０.１μｇ／ｍｌから約５μｇ／ｍｌの濃度で含む。薬剤選別は、選択可能マーカーが安定して発現する細胞の増殖を選択するのに適用される。増幅可能である選択可能マーカーと共にトランスフェクションされた細胞のための薬剤濃度は、コピー数が上昇したクローン配列を選択するために上昇され、これによって、発現レベルが上昇される。次いで、安定したトランスフェクション細胞のクローンが、所望のヒト第VII因子ポリペプチド変異体の発現でスクリーニングされる。
【０１４４】
ヒト第VII因子ポリペプチド変異体をコードするＤＮＡ配列が導入される宿主細胞は、翻訳後の改変されたヒト第VII因子ポリペプチド変異体を生成可能であれば何れの細胞でもよく、酵母、菌類、および高真核細胞を含む。
【０１４５】
本発明に使用される哺乳類細胞株の例は、ＣＯＳ−１（ＡＴＣＣ  ＣＲＬ  １６５０）、子ハムスター腎（ＢＨＫ）および２９３（ＡＴＣＣ  ＣＲＬ  １５７３；Graham et al., J.Gen. Virol. 36: 59-72,1977）細胞株である。好ましいＢＨＫ細胞株は、tk-ts13 BHK細胞株（本明細書において援用される、Waechter and Baserga, Proc. Natl. Acad. Sci. USA 79: 1106-1110,1982）であり、以下ＢＨＫ５７０細胞と称す。ＢＨＫ５７０細胞株は、アメリカン・タイプ・カルチャー・コレクションに、12301 Parklawn Dr. , Rockville, 
Md. 20852、ＡＴＣＣ受付番号ＣＲＬ  １０３１４で寄託されている。tk-ts13 BHK細胞株もまた、ＡＴＣＣ受付番号ＣＲＬ１６３２で利用可能である。さらに、Rat Hep I (Rat 肝癌;ＡＴＣＣ  ＣＲＬ  １６００), Rat Hep II (Rat 肝癌; ＡＴＣＣ  ＣＲＬ  １５４８), ＴＣＭＫ (ＡＴＣＣ  ＣＣＬ  １３９),Human lung (ＡＴＣＣ  ＨＢ  ８０６５), ＮＣＴＣ １４６９ (ＡＴＣＣ  ＣＣＬ  ９．１), ＣＨＯ(ＡＴＣＣ  ＣＣＬ  ６１)およびＤＵＫＸ細胞(Urlaub and Chasin, Proc. Natl. Acad. Sci. USA 77: 4216-4220,1980)を含む多くの他の細胞株を本発明において用いることができる。
【０１４６】
適切な酵母細胞の例には、Saccharomyces spp.またはSchizosac charomyces spp.、特にSaccharomyces cerevisiaeまたはSaccharomyces kluyveriの菌株の細胞が含まれる。酵母細胞に異種性ＤＮＡを形質転換する方法、および異種製のポリペプチドを生成する方法は、例えばUS 4,599, 311, US 4,931, 373, US 4,870, 008, 5,037, 743,およびUS 4,845, 075に開示されており、それらは全て本明細書に援用される。形質転換された細胞は、選択可能マーカー、通常は薬剤耐性または特定の栄養、例えばロイシンの存在下における増殖能によって決定される表現型によって選択される。酵母中で使用するのに好ましいベクターは、ＵＳ4,931, 373に開示されているＰＯＴ１ベクターである。ヒト第VII因子ポリペプチド変異体をコードするＤＮＡ配列は、信号配列および任意に、上記のようなリーダー配列に先行される。適切な酵母細胞のさらなる例は、Kluyveromyces、例えばK lactis、Hansenula、例えばH. polymorpha、またはPichia、例えばP. pastoris (Gleeson et al., J. Gen. Microbiol. 132, 1986, pp. 3459-3465; US 4,882, 279参照)である。
【０１４７】
他の菌類の細胞の例は、糸状菌、例えばAspergillus spp.、Neurospora spp.、Fusarium spp.、またはTrichoderma spp.であり、特に、A. oryzae、A. nidulans、またはA. nigerの菌株である。タンパク質の発現のためのAspergillus spp.の使用は、例えばEP 272 277、EP 238 023、EP 184 438に開示されている。F. oxysporumの形質転換は、例えば、Malardier et al., 1989, Gene 78: 147-156に開示されているように行うことができる。Trichoderma spp.の形質転換は、例えばEP 244 234に開示されているように行うことができる。
【０１４８】
真菌を宿主細胞として使用する場合、真菌は本発明のＤＮＡ構築物を形質転換され、都合よいことには、ＤＮＡ構築物が宿主染色体に組み込まれることによって、組換え宿主細胞が得られる。この組み込みは、一般に、ＤＮＡ配列が細胞中で安定に維持される可能性が高いために有利であると見なされる。宿主染色体へのＤＮＡ構築物の組み込みは、例えば相同性組換えまたは非相同性組換えによる従来法に従って行える。
【０１４９】
昆虫細胞の形質転換およびそこでの相同性ポリペプチドの生成は、US 4,745,051、US 4,879,236、US 5,155,037、5,162,222、EP 397,485に開示されるように行うことができ、これらの全ては本明細書中に参照文献として援用される。宿主として使用される昆虫細胞株は、Lepidoptera細胞株、例えばSpodoptera frugiperda細胞、またはTrichoplusia ni細胞(US 5,077,214参照)が適切である。培養条件は、例えばＷＯ  ８９／０１０２９またはＷＯ  ８９／０１０２８、または上述の参照文献の何れかに開示されているものが適している。
【０１５０】
上記の形質転換またはトランスフェクトされた宿主細胞は、次いで、後に得られたペプチドの全部または一部が培養物から回収可能である、ヒト第VII因子ポリペプチド変異体を発現させる条件下で、適切な培地中で培養される。細胞の培養に用いられる培地は、宿主細胞の増殖に適した都合の良い培地であれば何れのものでもよく、例えば最小培地または適切な補充物を含む複合培地であってよい。適切な培地は、商業的な供給業者から入手可能であり、または公開されている処方（例えば、アメリカン・タイプ・カルチャー・コレクションのカタログ）に従って調製できる。細胞によって生成されたヒト第VII因子ポリペプチド変異体は、次いで培養培地から、遠心分離または濾過によって宿主細胞を培地から分離させ、上清または濾液のタンパク水溶性成分を塩、例えば硫酸アンモニウムによって沈殿させ、種々のクロマトグラフィー法、例えばイオン交換クロマトグラフィー、ゲル濾過クロマトグラフィー、親和性クロマトグラフィー等によって精製することを含む従来法によって回収される。
【０１５１】
トランスジェニック動物技術は、本発明の第VII因子ポリペプチド変異体を生成するために使用されることができる。このタンパク質は、宿主雌性哺乳類の乳腺で生成されることが好ましい。所望のタンパク質の乳腺内での発現とそれに続く乳への分泌は、他の源からタンパク質を単離する際に遭遇する多くの困難を克服する。乳は、容易に集められ、大量に入手可能であり、生化学的によく特徴づけられている。さらにその上、主要な乳タンパク質は、乳中に高濃度（一般に、約１〜１５ｇ/ｌ）で存在する。
【０１５２】
商業的な観点から、多量の乳を産する種を宿主として用いることが明らかに好ましい。マウスおよびラットのような小さい動物を用いることができる（好ましくは、原理的な段階の証明において）が、家畜哺乳類、例えばブタ、ヤギ、ヒツジ、およびウシであるが、これには限定されない家畜哺乳類を用いることが好ましい。ヒツジは、この種における遺伝子導入のこれまでの歴史、乳生産量、経費、およびヒツジの乳を集めるための装備が用意に入手できることなどのような要因のために（例えば、ＷＯ  ８８/００２３９  宿主のための種の選択を含む要因の比較を参照）特に好ましい。イースト・フリースランド・シープのような乳用に繁殖された宿主動物の品種を選択すること、または、トランスジェニック系を繁殖によって後に乳用の系統に導入することが一般に望ましい。何れの場合でも、良好な健康状態が知られた動物が用いられるべきである。
【０１５３】
乳腺における発現を得るために、乳タンパク遺伝子の転写プロモーターを用いる。乳タンパク遺伝子は、カゼイン（U.S. 5,304,489参照）、ベータ-ラクトグロブリン、ａ−ラクトアルブミン、および乳清の酸性タンパクをコードする遺伝子を含んでいる。ベータ-ラクトグロブリン（ＢＬＧ）プロモーターが好ましい。ヒツジのベータ-ラクトグロブリン遺伝子の場合、該遺伝子配列に隣接する５´の少なくとも４０６ｂｐの基部領域が通常使用されるが、５´に隣接する配列の大部分、約５ｋｂｐまで、例えば５´に隣接するプロモーターおよびベータ-ラクトグロブリン遺伝子の非コード部分を包囲している〜４.２５ｋｂｐのＤＮＡ断片（参照Whitelaw et al., Biochem. J. 286: 31-39 (1992)）が好ましい。
【０１５４】
ベータ-ラクトグロブリン遺伝子が発現するための遺伝子領域を組み入れてもよいのと同様に、該遺伝子の他の領域を構築物に組み入れてもよい。イントロンを欠いた構築物は、例えば、そのようなＤＮＡ配列を含むものと比較して発現が不十分であることは、当該分野では一般に認められている（Brinster et al., Proc. Natl. Acad. Sci. USA 85: 836-840 (1988); Palmiter et al., Proc. Natl. Acad. Sci. USA 88: 478-482 (1991); Whitelaw et al., Transgenic Res. 1: 3-13 (1991); WO 89/01343;およびWO 91/02318を参照。それぞれ、本明細書中に援用される。）。これに関して、可能であれば、所望のタンパク質またはポリペプチドをコードする遺伝子の本来のイントロンの全てまたは幾つかを含むゲノム配列を用いることが通常は好ましく、従って、例えばベータ-ラクトグロブリン遺伝子の少なくとも幾つかのイントロンをさらに包含することが好ましい。そのような領域の一つは、イントロンのスプライスおよびヒツジのベータ-ラクトグロブリン遺伝子の３´非コード領域からＲＮＡのポリアデニル化を提供するＤＮＡ断片である。遺伝子の天然の３´非コード配列が置換されたとき、このヒツジのベータ-ラクトグロブリン断片は、所望のタンパク質またはポリペプチドの発現レベルを増強し安定化することができる。他の実施形態において、変異体第VII因子配列の開始ＡＴＧを囲む領域は、乳特異的タンパク質遺伝子の対応する配列で置換される。そのような置換は、発現を増強するための推定上の組織特異的開始環境を提供する。変異体第VII因子の前プロおよびそれらの５´非コード配列、例えばＢＬＧ遺伝子を完全に置換することは都合がよいが、より小さい領域が置換されてもよい。
【０１５５】
トランスジェニック動物における第VII因子ポリペプチド変異体の発現のために、変異体第VII因子をコードするＤＮＡ断片を、発現ユニットを生成するためにその発現が必要とされるさらなるＤＮＡ断片に結合する操作が可能である。そのようなさらなる断片は、ｍＲＮＡの転写およびポリアデニル化の終結を与える配列の他に、上記のプロモーターを含む。この発現ユニットは、さらに、改変された第VII因子をコードする断片に結合されることができる、分泌信号配列をコードするＤＮＡ断片を含む。この分泌信号配列は、天然の第VII因子分泌信号配列または乳タンパクのような他のタンパク質（例えば、von Heijne、Nucl. Acids Res. 14: 4683-4690 (1986);およびMeade et al., U. S. 4,873, 316を参照。これらは本明細書において援用される）のものであってよい。
【０１５６】
トランスジェニック動物で使用するための発現ユニットは、変異体のＦVII配列をさらなるＤＮＡ断片を含むプラスミドまたはファージベクター内に挿入することによって都合よく構成することができるが、発現ユニットは必須である任意の結合（ligations）配列によって構成されてもよい。これは特に、乳タンパクをコードするＤＮＡ断片を含むベクターを提供するのに都合がよく、また、乳タンパクをコードする配列を第VII因子変異体のもので置換するのに都合がよい。これによって、乳タンパク遺伝子の発現制御配列を含む遺伝子融合が作成される。何れの場合でも、プラスミドまたは他のベクター中の発現ユニットのクローニングが、その変異体第VII配列の増幅を促進する。増幅は、細菌（例えば大腸菌）宿主細胞で実行されるのが都合よく、従ってベクターは、細菌宿主細胞において典型的には複製開始点と選択可能マーカー機能を含む。この発現ユニットは、次いで、選択された宿主種の受精卵（初期胚を含む）に導入される。非相同性ＤＮＡの導入は、マイクロインジェクション（例えば、米国特許番号4,873,191）、レトロウイスル感染（Jaenisch, Science 240: 1468-1474 (1988)）、または胚幹（ＥＳ）細胞を用いたサイト直接的な組み込み（Bradley et al., Bio/Technology 10: 534-539 (1992)によって概説されている）を含む、幾つかの経路のうちの一つによって達成可能である。次いで卵を、偽妊娠の雌の卵管または子宮に移植し、期間まで発達させる。導入されたＤＮＡをその生殖系列に保有する子孫は、通常のメンデルの様式でその子孫に該ＤＮＡを渡すことができ、トランスジェニック家畜を可能にする。トランスジェニック動物を生産する通常の方法は、当該分野において既知である（例えば、Hogan et al., Manipulating the Mouse Embryo、A Laboratory Manual, Cold Spring Harbor Laboratory, 1986、Simons et al., Bio/Technology 6: 179-183 (1988)、Wall et al., Biol. Reprod. 32: 645-651 (1985)、Buhler et al., Bio/Technology 8: 140-143 (1990)、Ebert et al., Bio/Technology 9: 835-838 (1991)、Krimpenfort et al., Bio/Technology 9: 844-847 (1991)、Wall et al., J. Cell. Biochem. 49: 113-120 (1992)、U.S. 4,873,191、U.S. 4,873,316、WO 88/00239、WO 90/05188、WO 92/11757、およびGB 87/00458を参照）。外来ＤＮＡ配列を哺乳類およびそれらの胚細胞に導入する技術は、元来マウスで発展した（例えば、Gordon et al., Proc. Natl. Acad. Sci. USA 77: 7380-7384 (1980)、Gordon and Ruddle, Science 214: 1244-1246 (1981)、Palmiter and Brinster, Cell 41: 343-345 (1985)、Brinster et al., Proc. Natl. Acad. Sci. USA 82: 4438-4442 (1985)、およびHogan et al.(ibid.)を参照）。これらの技術は、続いて、家畜種を含むより大型の動物を用いた使用に適用された（例えば、WO 88/00239、WO 90/05188、およびWO 92/11757、およびSimons et al., Bio/Technology 6: 179-183(1988)を参照）。要約を述べると、トランスジェニックマウスまたはトランスジェニック家畜を生産する現在まで最も効率の良い経路において、所望のＤＮＡの数百の直線分子は、確立された技術に従って受精卵の前核の一つに注入される。受精卵の細胞質に注入されたＤＮＡもまた、利用され得る。
【０１５７】
トランスジェニック植物における生成も行うことができる。発現は一般化されるか、または特定の器官、例えば塊茎に配向される（Hiatt, Nature 344: 469-479 (1990); Edelbaum et al., J. Interferon Res. 12: 449-453 (1992); Sijmons et al., Bio/Technology 8: 217-221 (1990);およびEP 0 255 378参照。）。
【０１５８】
本発明の第VII因子ポリペプチド変異体は、細胞培養培地または乳から回収される。本発明の第VII因子ポリペプチド変異体は、クロマトグラフィー（例えば、イオン交換、親和性、疎水性、等電点電気泳動、およびサイズ排除）、電気泳動的方法（例えば、等電点電気泳動（ＩＥＦ）、示差溶解性（例えば、硫酸アンモニウム沈殿）、または抽出（例えば、Protein Purification, J. -C. Janson and Lars Ryden, editors, VCH Publishers, New York, 1989参照））を含むがこれに限定されない当該分野において既知の様々な方法によって精製される。好ましくは、これらは抗第VII因子抗体カラムで親和クロマトグラフィーによって精製される。Wakabayashi et al., J. Biol. Chem.261: 11097-11108, (1986)およびThim et al., Biochemistry 27: 7785-7793, (1988)によって開示されたようなカルシウム依存性モノクローナル抗体が特に好ましい。さらなる精製は、従来の化学的精製手段、例えば高速液体クロマトグラフィーなどによって都合よく達成できる。他の精製法は、クエン酸バリウム沈殿を含み、当該分野で既知であり、ここで開示されている新規の第VII因子ポリペプチド変異体の精製に適用することができる（例えば、Scopes, R. , Protein Purification, Springer-Verlag, N. Y. ,（1982）を参照）。
【０１５９】
治療目的のために、本発明の第VII因子ポリペプチド変異体は十分に純粋であることが好ましい。従って、本発明の好ましい実施形態において、本発明の第VII因子ポリペプチド変異体は、少なくとも約９０〜９５％均質に、好ましくは少なくとも約９８％均質に精製される。純度は例えばゲル電気泳動およびアミノ末端アミノ酸配列によって評価することができる。
【０１６０】
第VII因子変異体はその活性化サイトで切断されてその二重鎖形態に転化する。活性化は、当該分野で既知の方法、例えばOsterud, et al., Biochemistry 11: 2853-2857 (1972); Thomas, U. S. Patent No. 4, 456,591、Hedner and Kisiel, J. Clin. Invest. 71: 1836-1841 (1983)、またはKisiel and Fujikawa, Behring Inst. Mitt. 73: 29-42 (1983)に開示されている方法によって行える。あるいは、Bjoern et al.(Research Disclosure, 269 September 1986, pp. 564-565)によって開示されているように、第VII因子は、イオン交換クロマトグラフィーカラム、例えばＭｏｎｏ  Ｑ（Ｒ）（Pharmacia fine Chemicals）などを通して活性化されることもできる。得られた活性化第VII因子変異体は、次いで、上述したように処方され投与される。
【０１６１】
＜試験法＞
本発明はまた、本発明の好ましい第VII因子変異体を選択するための適切な試験法を提供する。これらの試験法は、インビトロでの簡単な予備試験として行うことができる。
【０１６２】
本明細書の実施例５は、このような本発明の第VII因子変異体の活性のための簡単な試験（「インビトロでの加水分解試験」と題されている）を開示している。それに基づいて、特に望まれる第VIIａ因子変異体は、「インビトロでの加水分解試験」で試験されたときに、該変異体の活性と図１の天然の第VII因子の活性との間の比が１.０以上、少なくとも１.２５、好ましくは少なくとも約２.０、例えば少なくとも約３.０、またはよりいっそう好ましくは、少なくとも約４.０であるような変異体である。
【０１６３】
変異体の活性は、生理学的な基質、例えば第Ｘ因子（「インビトロでのタンパク分解試験」）（実施例６参照）を用いて測定されることもでき、適切には濃度が１００〜１０００ｎＭであり、ここで第Ｘａ因子発生は、適切な色素生産性基質（例えばＳ−２７６５）を添加した後に測定される。さらに、活性試験は、生理学的温度で行われる。
【０１６４】
第VIIａ因子変異体のトロンビン発生能は、全ての関連のある凝固因子、および生理学的濃度での阻害剤（擬血友病Ａ状況でのマイナス第VIII因子）および活性化された血小板（本明細書に援用される、p.543 in Monroe et al. (1997) Brit. J. Haematol. 99,542-547に開示されているように）を含む試験において測定され得る。
【０１６５】
＜投与および製薬組成物＞
本発明の第VII因子ポリペプチド変異体は、凝固因子欠損（例えば、血友病ＡおよびＢ、または凝固第XI因子または第VII因子の欠損）または凝固因子阻害のような幾つかの原因を有する出血性疾患を制御するために使用され、または、正常に機能する血液凝固カスケードを有する（凝固因子欠損または何れの凝固因子に対する阻害も持たない）対象で発生した過剰出血を制御するために用いられる。出血は、血小板機能、血小板減少症、またはフォンウィルブランド病によって引き起こされ得る。それは、その繊維素溶解性活性が様々な刺激によって上昇した対象においても観察される。
【０１６６】
外科手術または広い外傷に伴って広範な組織傷害を受けた対象において、止血機構は迅速な止血要求によって圧倒されており、止血機構が正常であるにもかかわらず出血が生じる。十分な止血の達成は、例えば脳、内耳領域、および眼のような器官で出血が起こった時も問題であり、また、出所の確認が困難なときの散在性の出血（出血性胃炎およびおびただしい子宮出血）の場合にも問題である。同様の問題は、腹腔鏡手術と同様に様々な器官（肝臓、肺、腫瘍組織、消化管）からバイパスを通す処理の際にも生じる。これらの状況は、外科的技術（縫合、切除等）によって止血を施すことが困難であるという点が共通している。急性のおびただしい出血は、治療処置によって止血の欠陥が誘発されている抗凝固治療中の対象にも生じ得る。そのような対象は、抗凝固効果が速やかに相殺されるべきである場合に外科的処置を必要とする。止血が不十分な場合に問題を引き起こし得る他の状況は、正常な止血機構を有する対象が、血栓塞栓性疾患を予防するために抗凝固治療を施されたときである。そのような治療は、アスピリンおよび他の血小板凝集阻害剤と同様に、ヘパリン、他の形体のプロテオグリカン、ワルファリン、または他の形体のビタミンＫアンタゴニストを含む。
【０１６７】
凝固カスケードの全身活性化は、汎発性の血管内凝集（ＤＩＣ）を導き得る。しかしながら、そのような合併症は、その種の止血処理の局在化が、第VIIａ因子および血管壁損傷サイトに曝されたＴＦとの間の複合体形成によって誘導されるために、組換え第VIIａ因子を高投与量で処置された対象では観察されない。本発明の第VII因子ポリペプチド変異体は、このように、正常な止血機構に付随する過剰出血等を制御するための活性化形体でも使用され得る。
【０１６８】
慎重な介入と関連した処置のために、本発明の第VII因子ポリペプチド変異体は、典型的に、処置を行う前約２４時間以内に投与され、最大で７日以上後に投与される。凝固剤としての投与は、本明細書で記載されたように様々な経路で行うことができる。
【０１６９】
７０ｋｇの対象に添加し維持される投与量のための、第VII因子ポリペプチド変異体の投与量は、対象の体重および状況の重篤度により、約０.０５ｍｇ〜５００ｍｇ／日、好ましくは約１ｍｇ〜２００ｍｇ／日、およびさらに好ましくは約１０ｍｇ〜約１７５ｍｇ／日の範囲である。
【０１７０】
製薬組成物は、予防的および／または治療的処置のために、主に非経口投与を意図されている。好ましくは、製薬組成物は、非経口的に、即ち、静脈内、皮下、または筋肉内に投与され、あるいは連続的または脈動的注入によって投与されても良い。非経口投与のための組成物は、本発明の第VII因子変異体と、好ましくはそれが溶解される製薬的に許容される担体、好ましくは水性担体から成る。種々の水性担体、例えば水、緩衝水、０.４％生理食塩水、０.３％グリシンなどが使用できる。本発明の第VII因子ポリペプチド変異体は、輸送するために、または損傷サイトを標的にするために、リポソーム製剤に処方されることもできる。リポソーム製剤は、一般に、例えばU.S. 4,837,028、U.S. 4,501,728、およびU.S. 4,975,282に開示されている。該組成物は、従来の、周知の滅菌技術によって滅菌される。得られた水性溶液は、使用のために包装されるかまたは無菌条件下で濾過され、凍結乾燥される。この凍結乾燥された製剤は、投与前に滅菌水性溶液と組み合わされる。この組成物は、おおよその生理学的な条件、例えばｐＨ調整剤および緩衝剤、張度調整剤等のために必要な、製薬的に許容される補助物質、例えば酢酸ナトリウム、乳酸ナトリウム、塩酸ナトリウム、塩化カリウム、塩化カルシウム等を含む。
【０１７１】
それらの製剤中の第VII因子変異体の濃度は、広く変動可能であり、即ち、約０.５重量％以下から、通常少なくとも約１重量％、最大で１５〜２０重量％であり、主に液体の体積、粘度等によって、特に選択された投与様式に従って選択される。
【０１７２】
このように、静脈内注入のための典型的な製薬組成物は、２５０ｍｌの滅菌リンガー液および１０ｍｇの第VII因子変異体を含むように作成されてよい。非経口投与組成物を調製する実際の方法は、当該分野の技術者に既知であるか、明らかであり、例えばRemington's Pharmaceutical Sciences, 18th ed., Mack Publishing Company, Easton, PA (1990)により詳細に開示されている。
【０１７３】
本発明の第VII因子ポリペプチド変異体を含む組成物は、予防のため、および／または治療処置のために投与されることができる。治療的な適用において、組成物は、病気とその合併症を治癒、緩和、または部分的に停止するのに十分な量で、病気で苦しんでいる対象に上述したように投与される。これを達成するのに十分な量は、「治療的な有効量」として定義される。当該分野の技術者には理解されるように、この目的のために有効な量は対照の体重と一般的な状態の他に、疾患または損傷の重症度に依存する。しかしながら一般に、有効量は、７０ｋｇの対象に１日当たり、第VII因子変異体が約０.０５ｍｇから約５００ｍｇまでの範囲で、第VII因子変異体の１日当たりの投与量が約１.０ｍｇ〜約２００ｍｇであるのがより一般的である。
【０１７４】
本発明のＦVIIａポリペプチドは、一般に、重篤な疾患または損傷状態、即ち生命が脅かされているか、または潜在的に脅かされている状況で使用される。そのような場合、外来性の物質を最小化し、またヒトにおいてヒト第VII因子ポリペプチド変異体の免疫原性が普遍的に欠乏している観点から、治療している医師がこれらの変異体第VII因子組成物をかなり過剰に投与することが望ましいと考えられる。
【０１７５】
予防的な適用において、本発明の第VII因子変異体を含む組成物は、対象自身の凝固能を増強させるために、病気または怪我をしやすいかその危険がある対象に投与される。そのような量は、「予防的に有効な投与量」として定義される。予防的な適用において、正確な量は対象の健康状態および体重によるが、投与量は通常、７０ｋｇの対象で、１日当たり、約０.０５ｍｇ〜約５００ｍｇの範囲、より一般には、約１.０ｍｇ〜約２００ｍｇである。
【０１７６】
組成物の単一または複数投与は、治療する医師によって選択される投与レベルとパターンとで実行され得る。レベルが１日維持されることを必要とする通院の対象のために、第VII因子ポリペプチド変異体は例えば移動式ポンプシステムを用いて連続的に注入することによって投与され得る。
【０１７７】
本発明の第VII因子変異体の局所的な送達、例えば局所的な適用が行われることができ、例えば、噴霧、灌流、二重バルーンカテーテル、ステント、人工血管またはステントへの組み込み、バルーンカテーテルをコートするのに用いるヒドロゲル、または他のよく確立された方法等の手段によって行われる。いずれにしても、製薬組成物は対象を治療するのに有効な第VII因子変異体の量を提供する。
【０１７８】
本発明は、以下の実施例によってさらに例証されるが、その構築物は保護範囲を限定するものではない。続く説明と実施例において開示される特徴は、個々に、およびそれらを組み合わせて、本発明を多様な形態で実現するために重要である。
【実施例】
【０１７９】
以下の実施例において用いたアミノ酸置換の用語法は次の通りである。
【０１８０】
最初の文字は、配列番号１の位置に本来存在するアミノ酸を表す。次の数字は、配列番号１における位置を表す。二番目の文字は、本来のアミノ酸と置換した異なるアミノ酸を表す。例えば、Ｌ３０５Ｖ／Ｋ３３７Ａ−ＦVIIは、配列番号１の３０５に位置するロイシンがバリンによって置換され、そして配列番号１の３３７に位置するリシンがアラニンによって置換され、両方の変異が同一の第VII因子ポリペプチド変異体にある。
【０１８１】
＜実施例１＞
ＤＮＡは、Ｌ３０５Ｖ／Ｋ３３７Ａ−ＦVII、Ｌ３０５Ｖ／Ｖ１５８Ｄ／Ｅ２９６Ｖ／Ｍ２９８Ｑ−ＦVII、Ｌ３０５Ｖ／Ｖ１５８Ｄ／Ｅ２９６Ｖ／Ｍ２９８Ｑ／Ｋ３３７Ａ−ＦVIIをコードする。
【０１８２】
Ｌ３０５Ｖ／Ｋ３３７Ａ−ＦVII、Ｌ３０５Ｖ／Ｖ１５８Ｄ／Ｅ２９６Ｖ／Ｍ２９８Ｑ−ＦVII、およびＬ３０５Ｖ／Ｖ１５８Ｄ／Ｅ２９６Ｖ／Ｍ２９８Ｑ／Ｋ３３７Ａ−ＦVIIをコードするＤＮＡ構築物は、所望の挿入断片を有するスーパーコイルの二重鎖ＤＮＡベクターと、所望の変異を含む二つの合成プライマーを用いたサイト特異的突然変異誘発によって調製された。
【０１８３】
以下のプライマーを使用した。
【０１８４】
Ｌ３０５Ｖ−ＦVI用
5'-CGT GCC CCG GGT GAT GAC CCA GGA C-3' (配列番号2)
5'-GTC CTG GGT CAT CAC CCG GGG CAC G-3' (配列番号3)
Ｋ３３７Ａ−ＦVII用
5'-CGG ATG GCA GCG CGG ACT CCT GCA AGG G-3' (配列番号4) 
5'-CCC TTG CAG GAG TCC GCG CTG CCA TCC G-3' (配列番号5) 
Ｖ１５８Ｄ−ＦVII用
5'-GTG GGG GGC AAG GAC TGC CCC AAA GGG G-3' (配列番号6) 
5'-CCC CTT TGG GGC AGT CCT TGC CCC CCA C-3' (配列番号7) 
Ｅ２９６Ｖ／Ｍ２９８Ｑ−ＦVII用
5'-GCC ACG GCC CTG GTG CTC CAG GTC CTC AAC GTG CCC-3' (配列番号8) 
5'-GGG CAC GTT GAG GAC CTG GAG CAC CAG GGC CGT GGC-3' (配列番号9)
【０１８５】
オリゴヌクレオチドプライマーは、それぞれベクターの対になる鎖に相補的であり、Ｐｆｕ  ＤＮＡポリメラーゼの方法によって、温度サイクリングの間に伸長された。プライマーを組み込むことで、ねじれのニックを含む変異プラスミドが生成された。続く温度サイクルで、生成物は、メチル化およびヘミメチル化されたＤＮＡに特異的であるＤｐｎｌによって処理され、親のＤＮＡテンプレートを消化し、変異を含む合成されたＤＮＡを選択する。
【０１８６】
特異的なプライマーを用いたポリメラーゼ連鎖反応法によるＤＮＡ構築物の調製方法は、当該分野の技術者に周知である（PCR Protocols, 1990, Academic Press, San Diego, California, USA参照）。
【０１８７】
＜実施例２＞
Ｌ３０５Ｖ／Ｋ３３７Ａ−ＦVIIの調製
基本的に従来開示されているように（Thim et al. (1988) Biochemistry 27,7785-7793 ; Persson and Nielsen (1996) FEBS Lett. 385,241-243）、ＢＨＫ細胞をトランスフェクトし、変異体Ｌ３０５Ｖ／Ｋ３３７Ａ−ＦVIIの発現を得た。第VII因子変異体は、次のように精製した。  
条件つきの培地をＱ  Ｓｅｐｈａｒｏｓｅ  Ｆａｓｔ  Ｆｌｏｗの２５ｍＬカラム（Pharmacia Biotech）にロードし、５ｍＭのＥＤＴＡ、０.１％のＴｒｉｔｏｎ  Ｘ−１００、および１０ｍＭのＴｒｉｓを加えた後、ｐＨ８.０に調整し、水を加えて１０−１１ｍＳ／ｃｍに伝導率を調整した。
【０１８８】
１０mMのＴｒｉｓ、５０mMのNaCl、０．１％  Ｔｒｉｔｏｎ  Ｘ−１００、ｐＨ８．０から、１０ｍＭのＴｒｉｓ、５０ｍＭのＮａＣＩ、２５ｍＭのＣａＣｌ2、０．１％  Ｔｒｉｔｏｎ  Ｘ−１００、ｐＨ８．０にステッピングしてタンパク質を溶出させた。Ｌ３０５Ｖ／Ｋ３３７Ａ−ＦVIIを含む画分を貯蔵し、ＣＮＢｒ活性化Ｓｅｐｈａｒｏｓｅ  ４Ｂ（Pharmacia Biotech）と組み合わせたモノクローナル抗体Ｆ１Ａ２（Novo Nordisk, Bagsvaerd, Denmark）を含む２５ｍｌカラムにアプライした。
【０１８９】
そのカラムを、１０ｍＭのＣａＣｌ2、１００ｍＭのＮａＣｌおよび０．０２％  Ｔｒｉｔｏｎ  Ｘ−１００を含む５０ｍＭのＨｅｐｅｓ、ｐＨ７．５で平衡化した。平衡化バッファーで洗い流した後、物質と結合した２ＭのＮａＣｌを含む平衡化バッファーを、ＣａＣｌ2の代わりに１０ｍＭのＥＤＴＡを含む平衡化バッファーで溶出させた。使用または貯蔵する前に、ＥＤＴＡを超過するＣａＣｌ2を添加するか、またはＬ３０５Ｖ／Ｋ３３７Ａ−ＦVIIをＣａ2+含有バッファーに移行させた。各工程の収量は、第VII因子ＥＬＩＳＡ測定により、精製タンパクはＳＤＳ−ＰＡＧＥによって解析された。
【０１９０】
＜実施例３＞
Ｌ３０５Ｖ／Ｖ１５８Ｄ／Ｅ２９６Ｖ／Ｍ２９８Ｑ−ＦVIIの調製
基本的に従来開示されているように（Thim et al. (1988) Biochemistry 27,7785-7793 ; Persson and Nielsen (1996) FEBS Lett. 385,241-243）、ＢＨＫ細胞をトランスフェクトし、変異体Ｌ３０５Ｖ／Ｖ１５８Ｄ／Ｅ２９６Ｖ／Ｍ２９８Ｑ−ＦVIIの発現を得た。第VII因子変異体は、次のように精製した。  
条件つきの培地をＱ  Ｓｅｐｈａｒｏｓｅ  Ｆａｓｔ  Ｆｌｏｗの２５ｍＬカラム（Pharmacia Biotech）にロードし、５ｍＭのＥＤＴＡ、０.１％のＴｒｉｔｏｎ  Ｘ−１００、および１０ｍＭのＴｒｉｓを加えた後、ｐＨ８.０に調整し、水を加えて１０−１１ｍＳ／ｃｍに伝導率を調整した。１０mMのＴｒｉｓ、５０mMのNaCl、０．１％  Ｔｒｉｔｏｎ  Ｘ−１００、ｐＨ８．０から、１０ｍＭのＴｒｉｓ、５０ｍＭのＮａＣＩ、２５ｍＭのＣａＣｌ2、０．１％  Ｔｒｉｔｏｎ  Ｘ−１００、ｐＨ８．０にステッピングしてタンパク質を溶出させた。Ｌ３０５Ｖ／Ｖ１５８Ｄ／Ｅ２９６Ｖ／Ｍ２９８Ｑ−ＦVIIを含む画分を貯蔵し、ＣＮＢｒ活性化Ｓｅｐｈａｒｏｓｅ  ４Ｂ（Pharmacia Biotech）と組み合わせたモノクローナル抗体Ｆ１Ａ２（Novo Nordisk, Bagsvaerd, Denmark）を含む２５ｍｌカラムにアプライした。
【０１９１】
そのカラムを、１０ｍＭのＣａＣｌ2、１００ｍＭのＮａＣｌおよび０．０２％  Ｔｒｉｔｏｎ  Ｘ−１００を含む５０ｍＭのＨｅｐｅｓ，ｐＨ７．５で平衡化した。平衡化バッファーで洗い流した後、物質と結合した２ＭのＮａＣｌを含む平衡化バッファーを、ＣａＣｌ2の代わりに１０ｍＭのＥＤＴＡを含む平衡化バッファーで溶出させた。使用または貯蔵する前に、ＥＤＴＡを超過するＣａＣｌ2を添加するか、またはＬ３０５Ｖ／Ｖ１５８Ｄ／Ｅ２９６Ｖ／Ｍ２９８Ｑ−ＦVIIをＣａ2+含有バッファーに移行させた。各工程の収量は、第VII因子ＥＬＩＳＡ測定により、精製タンパクはＳＤＳ−ＰＡＧＥによって解析された。
【０１９２】
＜実施例４＞
Ｌ３０５Ｖ／Ｖ１５８Ｄ／Ｅ２９６Ｖ／Ｍ２９８Ｑ／Ｋ３３７Ａ−ＦVIIの調製
基本的に従来開示されているように（Thim et al. (1988) Biochemistry 27,7785-7793 ; Persson and Nielsen (1996) FEBS Lett. 385,241-243）、ＢＨＫ細胞をトランスフェクトし、変異体Ｌ３０５Ｖ／Ｖ１５８Ｄ／Ｅ２９６Ｖ／Ｍ２９８Ｑ／Ｋ３３７Ａ−ＦVIIの発現を得た。第VII因子変異体は、次のように精製した。  
条件つきの培地をＱ  Ｓｅｐｈａｒｏｓｅ  Ｆａｓｔ  Ｆｌｏｗの２５ｍＬカラム（Pharmacia Biotech）にロードし、５ｍＭのＥＤＴＡ、０.１％のＴｒｉｔｏｎ  Ｘ−１００、および１０ｍＭのＴｒｉｓを加えた後、ｐＨ８.０に調整し、水を加えて１０−１１ｍＳ／ｃｍに伝導率を調整した。  １０mMのＴｒｉｓ、５０mMのNaCl、０．１％  Ｔｒｉｔｏｎ  Ｘ−１００、ｐＨ８．０から、１０ｍＭのＴｒｉｓ、５０ｍＭのＮａＣＩ、２５ｍＭのＣａＣｌ2、０．１％  Ｔｒｉｔｏｎ  Ｘ−１００、ｐＨ８．０にステッピングしてタンパク質を溶出させた。Ｌ３０５Ｖ／Ｖ１５８Ｄ／Ｅ２９６Ｖ／Ｍ２９８Ｑ／Ｋ３３７Ａ−ＦVIIを含む画分を貯蔵し、ＣＮＢｒ活性化Ｓｅｐｈａｒｏｓｅ  ４Ｂ（Pharmacia Biotech）と組み合わせたモノクローナル抗体Ｆ１Ａ２（Novo Nordisk, Bagsvaerd, Denmark）を含む２５ｍｌカラムにアプライした。
【０１９３】
そのカラムを、１０ｍＭのＣａＣｌ2、１００ｍＭのＮａＣｌおよび０．０２％  Ｔｒｉｔｏｎ  Ｘ−１００を含む５０ｍＭのＨｅｐｅｓ、ｐＨ７．５で平衡化した。平衡化バッファーで洗い流した後、物質と結合した２ＭのＮａＣｌを含む平衡化バッファーを、ＣａＣｌ2の代わりに１０ｍＭのＥＤＴＡを含む平衡化バッファーで溶出させた。使用または貯蔵する前に、ＥＤＴＡを超過するＣａＣｌ2を添加するか、またはＬ３０５Ｖ／Ｖ１５８Ｄ／Ｅ２９６Ｖ／Ｍ２９８Ｑ／Ｋ３３７Ａ−ＦVIIをＣａ2+含有バッファーに移行させた。各工程の収量は、第VII因子ＥＬＩＳＡ測定により、精製タンパクはＳＤＳ−ＰＡＧＥによって解析された。
【０１９４】
＜実施例５＞
インビトロで加水分解試験
天然（野生型）の第VIIａ因子および第VIIａ因子変異体（以下、両者をあわせて「第VIIａ因子」と称す。）を平行して試験し、それらの特異的活性を直接比較する。この試験は、マイクロリッタープレート（MaxiSorp, Nunc, Denmark）で行われる。色素生産性基質Ｄ-ｌｌｅ-Ｐｒｏ-Ａｒｇ-ｐ-ニトロアニリド（S-2288, Chromogenix, Sweden）、最終濃度１ｍＭを、０．１ＭのＮａＣｌ、５ｍＭのＣａＣｌ２および１ｍｇ／ｍｌのウシ血清アルブミンを含む５０ｍＭのＨｅｐｅｓ、ｐＨ７．４中の第VIIａ因子（最終濃度１００ｎＭ）に添加する。４０５ｎｍの吸光度を、ＳｐｅｃｔｒａＭａｘTM３４０プレートリーダー（Molecular Devices, USA）で連続的に測定する。２０分のインキュベーションの間に発生した吸光度を、酵素を含まない空のウェルの吸光度を減算した後、変異体と野生型の第VIIａ因子の間の活性比を算出するために用いる。  
比率＝（Ａ405nm第VIIａ因子変異体）／（Ａ405nm第VIIａ野生型）
【０１９５】
＜実施例６＞
インビトロでのタンパク質分解試験
天然（野生型）の第VIIａ因子および第VIIａ因子変異体（以下、両者をあわせて「第VIIａ因子」と称す。）を平行して試験し、それらの特異的活性を直接比較する。この試験は、マイクロリッタープレート（MaxiSorp, Nunc, Denmark）で行われる。０．１ＭのＮａＣｌ、５ｍＭのＣａＣｌ２および１ｍｇ／ｍｌのウシ血清アルブミンを含む１００マイクロＬの  ５０ｍＭ  Ｈｅｐｅｓ、ｐＨ７．４中の第VIIａ因子（１０ｎＭ）および第Ｘ因子（０．８μＭ）を１５分間インキュベートする。次いで、０．１ＭのＮａＣｌ、２０ｍＭのＥＤＴＡおよび１ｍｇ／ｍｌのウシ血清アルブミンを含む５０μＬの５０  ｍＭ  Ｈｅｐｅｓ、ｐＨ７．４を添加して、第Ｘ因子の切断を停止する。生成した第Ｘａ因子の量は、色素生産性基質Ｚ−Ｄ−Ａｒｇ−Ｇｌｙ−Ａｒｇ−ｐ−ニトロアニリド（S-2765, Chromogenix, Sweden）を最終濃度０.５ｍＭで添加して測定する。４０５ｎｍの吸光度を、ＳｐｅｃｔｒａＭａｘTM３４０プレートリーダー（Molecular Devices, USA）で連続的に測定する。
【０１９６】
１０分のインキュベーションの間に発生した吸光度を、ＦVIIを含まない空のウェルの吸光度を減算した後、変異体と野生型の第VIIａ因子の間のタンパク質分解活性比を算出するために用いる。  
比率＝（Ａ405nm第VIIａ因子変異体）／（Ａ405nm第VIIａ野生型）
【０１９７】
＜実施例７＞
実施例５および６の試験で測定された、ＦVIIａ変異体の相対活性。
【表２】
2005509413.tif 000003
【化１−１】
2005509413.tif 000004
【化１−２】
2005509413.tif 000005
【化２】
2005509413.tif 000006
【図面の簡単な説明】
【０１９８】
【図１−１】天然（野生型）のヒト凝固第VII因子の全アミノ酸配列（配列番号１）。
【図１−２】図１−１の続きである。
【図１−１】
2005509413.tif 000007
【図１−２】
2005509413.tif 000008
【配列表】
2005509413000001.app
【国際調査報告】
2005509413.tif 000009
2005509413.tif 000010
2005509413.tif 000011
2005509413.tif 000012
2005509413.tif 000013
2005509413.tif 000014